(57)【特許請求の範囲】
【請求項１】
画像データを処理する画像処理装置と、前記画像データに基づいて光源装置から射出された光束を変調して光学像を形成する光変調素子、および、前記光学像を拡大投射して画像を表示させる投射光学装置を有するプロジェクタと、を備えたプロジェクションシステムであって、
前記画像処理装置および前記プロジェクタをデジタル通信可能に接続するデジタル通信手段を備え、
前記画像処理装置は、
前記画像データに対して前記プロジェクタで実施可能なプロジェクタ補正処理をして、第１補正済み画像データを生成する第１処理装置補正部と、
前記画像データに対して前記プロジェクタにより本来表示させたい画像を表示させるための本来表示対応補正処理をして、第２補正済み画像データを生成する第２処理装置補正部と、
前記第１補正済み画像データおよび前記第２補正済み画像データの差分に関する差分データを生成する差分データ生成部と、
前記差分データを前記デジタル通信手段を介して前記プロジェクタへ送信する差分データ送信部と、を備え、
前記プロジェクタは、
前記画像データに対して前記プロジェクタ補正処理をして、前記第１補正済み画像データを生成するプロジェクタ補正部と、
前記画像処理装置から送信された前記差分データを取得し、前記第１補正済み画像データに対して前記差分データに基づく補正処理をして前記第２補正済み画像データを生成する差分補正部と、
前記光変調素子を制御して、前記第２補正済み画像データに基づく画像を表示させる表示制御部と、を備えている
ことを特徴とするプロジェクションシステム。
【請求項２】
請求項１に記載のプロジェクションシステムにおいて、
前記デジタル通信手段とは別に、前記画像処理装置および前記プロジェクタを前記画像データを送受信可能に接続する画像データ伝送手段を備え、
前記画像処理装置は、
前記画像データを記憶する処理装置画像データ記憶部と、
この処理装置画像データ記憶部に記憶された前記画像データを取得する画像データ取得部と、
前記画像データを前記プロジェクタへ送信する画像データ送信部と、を備え、
前記第１処理装置補正部および前記第２処理装置補正部は、前記処理装置画像データ記憶部から前記画像データを取得し、
前記プロジェクタ補正部は、前記画像処理装置から送信された前記画像データを取得する
ことを特徴とするプロジェクションシステム。
【請求項３】
請求項１に記載のプロジェクションシステムにおいて、
前記画像データを再生する画像再生装置と、
この画像再生装置および前記画像処理装置を前記画像データを送受信可能に接続する第１画像データ伝送手段と、
前記画像再生装置および前記プロジェクタを前記画像データを送受信可能に接続する第２画像データ伝送手段と、を備え、
前記画像再生装置は、
前記画像データを前記第１画像データ伝送手段および前記第２画像データ伝送手段を介して前記画像処理装置および前記プロジェクタへ送信し、
前記第１処理装置補正部、前記第２処理装置補正部、および、前記プロジェクタ補正部は、前記画像再生装置から送信された前記画像データを取得する
ことを特徴とするプロジェクションシステム。
【請求項４】
請求項１に記載のプロジェクションシステムにおいて、
前記画像データを再生する画像再生装置と、
この画像再生装置および前記プロジェクタを前記画像データを送受信可能に接続する第１画像データ伝送手段と、
前記画像処理装置および前記プロジェクタを前記画像データを送受信可能に接続する第２画像データ伝送手段と、を備え、
前記プロジェクタ補正処理は、複数の補正処理を含み、
前記画像再生装置は、
前記画像データを前記第１画像データ伝送手段を介して前記プロジェクタへ送信し、
前記プロジェクタは、
前記画像再生装置から送信された前記画像データを取得し、この画像データに対して前記プロジェクタ補正処理に含まれる複数の補正処理のうち少なくともいずれか１つを除いた補正処理をして一部補正済み画像データを生成する一部補正済み画像データ生成部と、
前記一部補正済み画像データを前記第２画像データ伝送手段を介して前記画像処理装置へ送信する一部補正済み画像データ送信部と、を備え、
前記第１処理装置補正部は、前記プロジェクタから送信された前記一部補正済み画像データを取得し、この一部補正済み画像データに対して前記プロジェクタ補正処理に含まれる複数の補正処理のうち前記一部補正済み画像データに対してされていない補正処理をして、前記第１補正済み画像データを生成し、
前記第２処理装置補正部は、前記プロジェクタから送信された前記一部補正済み画像データを取得し、この一部補正済み画像データに対して前記本来表示対応補正処理をして、前記第２補正済み画像データを生成する
ことを特徴とするプロジェクションシステム。
【請求項５】
請求項１から請求項４のいずれかに記載のプロジェクションシステムにおいて、
前記デジタル通信手段は、双方向通信可能であり、
前記プロジェクタは、
前記プロジェクタ補正処理に関するプロジェクタ補正用データを記憶するプロジェクタ補正用データ記憶部と、
このプロジェクタ補正用データ記憶部から前記プロジェクタ補正用データを取得するプロジェクタ補正用データ取得部と、
前記プロジェクタ用補正データを前記デジタル通信手段を介して前記画像処理装置へ送信するプロジェクタ補正用データ送信部と、を備え、
前記第１処理装置補正部は、前記プロジェクタから送信された前記プロジェクタ補正用データを取得し、このプロジェクタ補正用データに基づく前記プロジェクタ補正処理をし、
前記プロジェクタ補正部は、前記プロジェクタ補正用データ記憶部に記憶された前記プロジェクタ補正用データに基づく前記プロジェクタ補正処理をする
ことを特徴とするプロジェクションシステム。
【請求項６】
請求項１から請求項４のいずれかに記載のプロジェクションシステムにおいて、
前記本来表示対応補正処理は、複数の補正処理を含み、
前記画像処理装置は、
前記本来表示対応補正処理に関する本来表示補正用データを記憶する処理装置補正用データ記憶部と、
前記本来表示補正用データに基づいて前記本来表示対応補正処理に含まれる複数の補正処理のうち少なくともいずれか１つを除いた補正処理に関する一部補正用データを生成する一部補正用データ生成部と、
前記一部補正用データを前記デジタル通信手段を介して前記プロジェクタへ送信する一部補正用データ送信部と、を備え、
前記プロジェクタは、
前記プロジェクタ補正処理に関するプロジェクタ補正用データを記憶するプロジェクタ補正用データ記憶部と、
前記画像処理装置から送信された前記一部補正用データを取得して、前記プロジェクタ補正用データ記憶部に記憶させる一部補正用データ記憶処理部と、を備え、
前記第１処理装置補正部は、前記画像データに対して前記プロジェクタ補正処理および前記一部補正用データに基づく前記補正処理をして、前記第１補正済み画像データを生成し、
前記プロジェクタ補正部は、前記画像データに対して前記プロジェクタ補正用データ記憶部に記憶された前記プロジェクタ補正用データに基づく前記プロジェクタ補正処理および前記一部補正用データに基づく前記補正処理をして、前記第１補正済み画像データを生成する
ことを特徴とするプロジェクションシステム。
【請求項７】
請求項１から請求項６のいずれかに記載のプロジェクションシステムにおいて、
前記本来表示対応補正処理は、色変換処理、γ補正処理、および、白黒伸張処理のうち少なくともいずれか１つを含む
ことを特徴とするプロジェクションシステム。
【請求項８】
請求項１から請求項７のいずれかに記載のプロジェクションシステムにおいて、
前記本来表示対応補正処理は、前記光変調素子の特性に起因する画像の乱れを補正する処理を含む
ことを特徴とするプロジェクションシステム。
【請求項９】
請求項１から請求項８のいずれかに記載のプロジェクションシステムにおいて、
前記画像処理装置は、
前記画像データに基づく画像を適正に表示させるために前記光変調素子に入射させる光の量を設定し、この設定した光の量に関する光量データを生成する光量データ生成部と、
前記光量データを前記デジタル通信手段を介して前記プロジェクタへ送信する光量データ送信部と、を備え、
前記プロジェクタは、
前記画像処理装置から送信された前記光量データを取得し、この光量データに基づいて前記光変調素子に入射させる光の量を調整する光量調整部を備えている
ことを特徴とするプロジェクションシステム。
【請求項１０】
請求項９に記載のプロジェクションシステムにおいて、
前記光源装置は、互いに異なる特定の色の光を出射する複数の特定色光源部を備え、
前記光量調整部は、前記特定色光源部からそれぞれ出射される光の量を独立的に調整する処理を前記光変調素子に入射させる光の量を調整する処理として実施する
ことを特徴とするプロジェクションシステム。
【請求項１１】
請求項１０に記載のプロジェクションシステムにおいて、
前記光源装置は、前記複数の特定色光源部として、赤色光源部と、緑色光源部と、青色光源部と、を備えている
ことを特徴とするプロジェクションシステム。
【請求項１２】
画像データに基づいて光源装置から射出された光束を変調して光学像を形成する光変調素子、および、前記光学像を拡大投射して画像を表示させる投射光学装置を備えたプロジェクタであって、
前記画像データを処理する画像処理装置にデジタル通信手段を介してデジタル通信可能に接続され、
前記画像データに対して実施可能なプロジェクタ補正処理をして、第１補正済み画像データを生成するプロジェクタ補正部と、
前記画像データに対して本来表示させたい画像を表示させるための本来表示対応補正処理が実施されて生成された第２補正済み画像データおよび前記第１補正済み画像データの差分に関する差分データを前記デジタル通信手段を介して前記画像処理装置から取得し、前記第１補正済み画像データに対して前記差分データに基づく補正処理をして前記第２補正済み画像データを生成する差分補正部と、
前記光変調素子を制御して、前記第２補正済み画像データに基づく画像を表示させる表示制御部と、を備えている
ことを特徴とするプロジェクタ。
【請求項１３】
請求項１２に記載のプロジェクタにおいて、
前記画像処理装置に画像データ伝送手段を介して前記画像データを送受信可能に接続され、
前記プロジェクタ補正処理は、複数の補正処理を含み、
前記画像データに対して前記プロジェクタ補正処理に含まれる複数の補正処理のうち少なくともいずれか１つを除いた補正処理をして一部補正済み画像データを生成する一部補正済み画像データ生成部と、
前記一部補正済み画像データを前記画像データ伝送手段を介して前記画像処理装置へ送信する一部補正済み画像データ送信部と、を備え、
前記差分補正部は、前記一部補正済み画像データに対して前記プロジェクタ補正処理に含まれる複数の補正処理のうち前記一部補正済み画像データに対してされていない補正処理がされて生成された前記第１補正済み画像データ、および、前記一部補正済み画像データに対して前記本来表示対応補正処理がされて生成された前記第２補正済み画像データの差分に関する前記差分データを取得する
ことを特徴とするプロジェクタ。
【請求項１４】
請求項１２または請求項１３に記載のプロジェクタにおいて、
前記本来表示対応補正処理は、複数の補正処理を含み、
前記プロジェクタ補正処理に関するプロジェクタ補正用データを記憶するプロジェクタ補正用データ記憶部と、
前記本来表示対応補正処理に含まれる複数の補正処理のうち少なくともいずれか１つを除いた補正処理に関する一部補正用データを前記デジタル通信手段を介して前記画像処理装置から取得し、前記プロジェクタ補正用データ記憶部に記憶させる一部補正用データ記憶処理部と、を備え、
前記プロジェクタ補正部は、前記画像データに対して前記プロジェクタ補正用データ記憶部に記憶された前記プロジェクタ補正用データに基づく前記プロジェクタ補正処理および前記一部補正用データに基づく前記補正処理をして、前記第１補正済み画像データを生成する
ことを特徴とするプロジェクタ。
【請求項１５】
請求項１２から請求項１４のいずれかに記載のプロジェクタにおいて、
前記画像データに基づく画像を適正に表示させるために前記光変調素子に入射させる光の量に関する光量データを前記デジタル通信手段を介して前記画像処理装置から取得し、この光量データに基づいて前記光変調素子に入射させる光の量を調整する光量調整部を備えている
ことを特徴とするプロジェクタ。
【請求項１６】
請求項１５に記載のプロジェクタにおいて、
前記光源装置は、互いに異なる特定の色の光を出射する複数の特定色光源部を備え、
前記光量調整部は、前記特定色光源部からそれぞれ出射される光の量を独立的に調整する処理を前記光変調素子に入射させる光の量を調整する処理として実施する
ことを特徴とするプロジェクタ。
【請求項１７】
請求項１６に記載のプロジェクタにおいて、
前記光源装置は、前記複数の特定色光源部として、赤色光源部と、緑色光源部と、青色光源部と、を備えている
ことを特徴とするプロジェクタ。
【請求項１８】
プロジェクタにデジタル通信手段を介して接続される画像処理装置で実行される画像処理プログラムであって、
前記画像処理装置が、
前記画像データに対して前記プロジェクタで実施可能なプロジェクタ補正処理をして、第１補正済み画像データを生成する第１処理装置補正ステップと、
前記画像データに対して前記プロジェクタにより本来表示させたい画像を表示させるための本来表示対応補正処理をして、第２補正済み画像データを生成する第２処理装置補正ステップと、
前記第１補正済み画像データおよび前記第２補正済み画像データの差分に関する差分データを生成する差分データ生成ステップと、
前記差分データを前記デジタル通信手段を介して前記プロジェクタへ送信する差分データ送信ステップと、を実行する
ことを特徴とする画像処理プログラム。
【請求項１９】
請求項１８に記載の画像処理プログラムがコンピュータにて読み取り可能に記録されている
ことを特徴とする画像処理プログラムを記録した記録媒体。
【発明の詳細な説明】
【技術分野】
【０００１】
本発明は、プロジェクションシステム、プロジェクタ、画像処理プログラム、および、画像処理プログラムを記録した記録媒体に関する。
【背景技術】
【０００２】
従来、パーソナルコンピュータなどの画像処理装置と、プロジェクタと、を備え、画像処理装置から送信される画像データに基づく画像をプロジェクタにより表示させる構成が知られている。
この構成のものは、プロジェクタにて、画像処理装置から送信された画像データを受信する。この後、プロジェクタにて、画像データに対して、解像度変換、台形歪み補正、プロジェクタの光学系や表示デバイスの特性に起因する色むらや輝度むらなどの補正処理、表示デバイスの特性に合わせたγ補正や色変換などの処理を実施する。そして、この各種処理が実施された画像データに基づいて、画像を表示させる構成が採られている。
【０００３】
しかし、このような構成では、プロジェクタにて、上述したような色むら補正やγ補正などの各種処理を実施するため、プロジェクタの回路構成が複雑になり、コストの増大を招いてしまうという問題点があった。また、画像の高画質化を実現するためには、回路での処理が複雑になり、さらなるコストの増大や消費電力の増大を招いてしまうという問題点があった。さらに、解像度変換処理などをプロジェクタで実施しているため、画質が劣化してしまうという問題点があった。
【０００４】
一方、これらのような問題点を解決可能な構成が知られている（例えば、特許文献１〜４参照）。
この特許文献１〜４に記載のものは、画像処理装置にて、画像データに対して、色むら補正、γ補正などの処理を実施する。この後、この各種処理が実施された画像データを、プロジェクタに送信する。そして、プロジェクタにて、画像処理装置から各種処理が実施された画像データを受信して、この画像データに基づいて画像を表示させる構成が採られている。
【０００５】
【特許文献１】特開２００４−６９９９６号公報
【特許文献２】特開２００４−６９９９７号公報
【特許文献３】特開２００４−８６２２７号公報
【特許文献４】特開２００４−８８１９４号公報
【発明の開示】
【発明が解決しようとする課題】
【０００６】
しかしながら、上述したような特許文献１〜４に記載のような構成では、画像処理装置で上述したような補正処理が実施された画像データをプロジェクタに送信して表示させるため、ＲＧＢ（Red、Green、Blue）についてそれぞれ１０ビット以上のデジタルデータを送信することとなり、補正処理が実施されていない画像データを送信する構成と比べて、送信速度が遅くなってしまうおそれがある。
【０００７】
本発明の目的は、データ送受信の低速化を抑制しつつ、良好な画像を表示可能なプロジェクションシステム、プロジェクタ、画像処理プログラム、および、画像処理プログラムを記録した記録媒体を提供することにある。
【課題を解決するための手段】
【０００８】
本発明のプロジェクションシステムは、画像データを処理する画像処理装置と、前記画像データに基づいて光源装置から射出された光束を変調して光学像を形成する光変調素子、および、前記光学像を拡大投射して画像を表示させる投射光学装置を有するプロジェクタと、を備えたプロジェクションシステムであって、前記画像処理装置および前記プロジェクタをデジタル通信可能に接続するデジタル通信手段を備え、前記画像処理装置は、前記画像データに対して前記プロジェクタで実施可能なプロジェクタ補正処理をして、第１補正済み画像データを生成する第１処理装置補正部と、前記画像データに対して前記プロジェクタにより本来表示させたい画像を表示させるための本来表示対応補正処理をして、第２補正済み画像データを生成する第２処理装置補正部と、前記第１補正済み画像データおよび前記第２補正済み画像データの差分に関する差分データを生成する差分データ生成部と、前記差分データを前記デジタル通信手段を介して前記プロジェクタへ送信する差分データ送信部と、を備え、前記プロジェクタは、前記画像データに対して前記プロジェクタ補正処理をして、前記第１補正済み画像データを生成するプロジェクタ補正部と、前記画像処理装置から送信された前記差分データを取得し、前記第１補正済み画像データに対して前記差分データに基づく補正処理をして前記第２補正済み画像データを生成する差分補正部と、前記光変調素子を制御して、前記第２補正済み画像データに基づく画像を表示させる表示制御部と、を備えていることを特徴とする。
【０００９】
本発明では、画像処理装置は、画像データに対してプロジェクタで実施可能なプロジェクタ補正処理をして、第１補正済み画像データを生成する。さらに、画像データに対してプロジェクタで本来表示させたい画像を表示させるための本来表示対応補正処理をして、第２補正済み画像データを生成する。ここで、プロジェクタ補正処理としては、画像を例えばプレゼンテーションに適した状態で表示させるための補正処理が例示できる。また、本来表示対応補正処理としては、画像を例えば映画やスポーツなどに適した状態で表示させるための補正処理、すなわちプロジェクタ補正処理よりも複雑な補正処理が例示できる。そして、画像処理装置は、第１補正済み画像データおよび第２補正済み画像データの差分を算出し、この算出した差分に関する差分データを生成して、デジタル通信手段を介してプロジェクタへ送信する。ここで、差分データは、例えば第１補正済み画像データおよび第２補正済み画像データの差分が比較的小さいため、これらの画像データが１０ビットのデータの場合、下位の数ビット、例えば２ビットのデータになる。
一方、プロジェクタは、画像データに対してプロジェクタ補正処理をして、第１補正済み画像データを生成する。さらに、画像処理装置から差分データを取得し、第１補正済み画像データに対して差分データに基づく補正処理をして第２補正済み画像データを生成する。そして、光変調素子を制御して、第２補正済み画像データに基づく画像を表示させる。
このことにより、プロジェクタは、第２補正済み画像データと比べてビット数が少ない差分データを取得して、この差分データに基づく補正処理をするだけで、第２補正済み画像データに基づく本来表示させたい画像を表示させることが可能となる。このため、画像処理装置から第２補正済み画像データを受信することなく、本来表示させたい画像を表示させることが可能となる。したがって、データ送受信の低速化を抑制しつつ、良好な画像を表示させることが可能となる。
【００１０】
本発明のプロジェクションシステムでは、前記デジタル通信手段とは別に、前記画像処理装置および前記プロジェクタを前記画像データを送受信可能に接続する画像データ伝送手段を備え、前記画像処理装置は、前記画像データを記憶する処理装置画像データ記憶部と、この処理装置画像データ記憶部に記憶された前記画像データを取得する画像データ取得部と、前記画像データを前記プロジェクタへ送信する画像データ送信部と、を備え、前記第１処理装置補正部および前記第２処理装置補正部は、前記処理装置画像データ記憶部から前記画像データを取得し、前記プロジェクタ補正部は、前記画像処理装置から送信された前記画像データを取得することが好ましい。
【００１１】
本発明では、画像処理装置は、処理装置画像データ記憶部に記憶された画像データを、画像データ伝送手段を介してプロジェクタへ送信する。また、画像処理装置は、処理装置画像データ記憶部から画像データを取得して、第１補正済み画像データおよび第２補正済み画像データを生成する。また、プロジェクタは、画像処理装置から送信された画像データを取得して、第１補正済み画像データを生成する。
このことにより、画像データを画像処理装置やプロジェクタに送信するだけの構成を設ける必要がなく、プロジェクションシステムの構成の簡略化が可能となる。
【００１２】
本発明のプロジェクションシステムでは、前記画像データを再生する画像再生装置と、この画像再生装置および前記画像処理装置を前記画像データを送受信可能に接続する第１画像データ伝送手段と、前記画像再生装置および前記プロジェクタを前記画像データを送受信可能に接続する第２画像データ伝送手段と、を備え、前記画像再生装置は、前記画像データを前記第１画像データ伝送手段および前記第２画像データ伝送手段を介して前記画像処理装置および前記プロジェクタへ送信し、前記第１処理装置補正部、前記第２処理装置補正部、および、前記プロジェクタ補正部は、前記画像再生装置から送信された前記画像データを取得することが好ましい。
【００１３】
本発明では、プロジェクションシステムに、画像データを再生するとともに送信する画像再生装置を設けている。そして、画像処理装置およびプロジェクタは、画像再生装置から送信された画像データを取得して、第１補正済み画像データ、第２補正済み画像データを生成する。
このことにより、画像再生装置で再生可能な画像データに基づく画像を、データ送受信の低速化を抑制しつつ、良好に表示させることが可能となる。また、画像処理装置から画像データを送信する必要がなくなるので、画像処理装置の処理負荷を低減可能となる。
【００１４】
本発明のプロジェクションシステムでは、前記画像データを再生する画像再生装置と、この画像再生装置および前記プロジェクタを前記画像データを送受信可能に接続する第１画像データ伝送手段と、前記画像処理装置および前記プロジェクタを前記画像データを送受信可能に接続する第２画像データ伝送手段と、を備え、前記プロジェクタ補正処理は、複数の補正処理を含み、前記画像再生装置は、前記画像データを前記第１画像データ伝送手段を介して前記プロジェクタへ送信し、前記プロジェクタは、前記画像再生装置から送信された前記画像データを取得し、この画像データに対して前記プロジェクタ補正処理に含まれる複数の補正処理のうち少なくともいずれか１つを除いた補正処理をして一部補正済み画像データを生成する一部補正済み画像データ生成部と、前記一部補正済み画像データを前記第２画像データ伝送手段を介して前記画像処理装置へ送信する一部補正済み画像データ送信部と、を備え、前記第１処理装置補正部は、前記プロジェクタから送信された前記一部補正済み画像データを取得し、この一部補正済み画像データに対して前記プロジェクタ補正処理に含まれる複数の補正処理のうち前記一部補正済み画像データに対してされていない補正処理をして、前記第１補正済み画像データを生成し、前記第２処理装置補正部は、前記プロジェクタから送信された前記一部補正済み画像データを取得し、この一部補正済み画像データに対して前記本来表示対応補正処理をして、前記第２補正済み画像データを生成することが好ましい。
【００１５】
本発明では、プロジェクタは、画像再生装置から取得した画像データに対して、プロジェクタ補正処理に含まれる複数の補正処理のうち少なくともいずれか１つを除いた補正処理をして、一部補正済み画像データを生成する。そして、第２画像データ伝送手段を介して画像処理装置へ送信する。また、画像処理装置は、プロジェクタから取得した一部補正済み画像データに対して、プロジェクタ補正処理に含まれる複数の補正処理のうち一部補正済み画像データに対してされていない補正処理をして、第１補正済み画像データを生成する。さらに、一部補正済み画像データに対して、本来表示対応補正処理をして、第２補正済み画像データを生成する。
このことにより、画像処理装置にて、第１補正済み画像データを生成する際に、一部補正済み画像データに対してされた補正処理を実施する必要がなくなる。このため、画像処理装置の処理負荷を低減可能となる。
【００１６】
本発明のプロジェクションシステムでは、前記デジタル通信手段は、双方向通信可能であり、前記プロジェクタは、前記プロジェクタ補正処理に関するプロジェクタ補正用データを記憶するプロジェクタ補正用データ記憶部と、このプロジェクタ補正用データ記憶部から前記プロジェクタ補正用データを取得するプロジェクタ補正用データ取得部と、前記プロジェクタ用補正データを前記デジタル通信手段を介して前記画像処理装置へ送信するプロジェクタ補正用データ送信部と、を備え、前記第１処理装置補正部は、前記プロジェクタから送信された前記プロジェクタ補正用データを取得し、このプロジェクタ補正用データに基づく前記プロジェクタ補正処理をし、前記プロジェクタ補正部は、前記プロジェクタ補正用データ記憶部に記憶された前記プロジェクタ補正用データに基づく前記プロジェクタ補正処理をすることが好ましい。
【００１７】
本発明では、プロジェクタは、プロジェクタ補正用データをプロジェクタ補正用データ記憶部から取得し、デジタル通信手段を介して画像処理装置へ送信する。そして、画像処理装置は、プロジェクタから取得したプロジェクタ補正用データに基づくプロジェクタ補正処理をする。
このことにより、画像処理装置は、デジタル通信手段を介して接続されるプロジェクタの性能に対応した差分データを適切に生成することが可能となる。また、差分データの送受信に利用するデジタル通信手段をプロジェクタ補正用データの送受信にも利用するので、プロジェクションシステムの構成の複雑化を招くことなく、差分データを適切に生成することが可能となる。
【００１８】
本発明のプロジェクションシステムでは、前記本来表示対応補正処理は、複数の補正処理を含み、前記画像処理装置は、前記本来表示対応補正処理に関する本来表示補正用データを記憶する処理装置補正用データ記憶部と、前記本来表示補正用データに基づいて前記本来表示対応補正処理に含まれる複数の補正処理のうち少なくともいずれか１つを除いた補正処理に関する一部補正用データを生成する一部補正用データ生成部と、前記一部補正用データを前記デジタル通信手段を介して前記プロジェクタへ送信する一部補正用データ送信部と、を備え、前記プロジェクタは、前記プロジェクタ補正処理に関するプロジェクタ補正用データを記憶するプロジェクタ補正用データ記憶部と、前記画像処理装置から送信された前記一部補正用データを取得して、前記プロジェクタ補正用データ記憶部に記憶させる一部補正用データ記憶処理部と、を備え、前記第１処理装置補正部は、前記画像データに対して前記プロジェクタ補正処理および前記一部補正用データに基づく前記補正処理をして、前記第１補正済み画像データを生成し、前記プロジェクタ補正部は、前記画像データに対して前記プロジェクタ補正用データ記憶部に記憶された前記プロジェクタ補正用データに基づく前記プロジェクタ補正処理および前記一部補正用データに基づく前記補正処理をして、前記第１補正済み画像データを生成することが好ましい。
【００１９】
本発明では、画像処理装置は、処理装置補正用データ記憶部に記憶された本来表示補正用データに基づいて、本来表示対応補正処理に含まれる複数の補正処理のうち少なくともいずれか１つを除いた補正処理に関する一部補正用データを、前記デジタル通信手段を介して前記プロジェクタへ送信する。そして、画像データに対してプロジェクタ補正処理および一部補正用データに基づく補正処理をして第１補正済み画像データを生成する。また、プロジェクタは、画像処理装置から一部補正用データを取得して、プロジェクタ補正用データが記憶されたプロジェクタ補正用データ記憶部に記憶させる。そして、プロジェクタは、画像データに対してプロジェクタ補正用データに基づくプロジェクタ補正処理、および、一部補正用データに基づく補正処理をして、第１補正済み画像データを生成する。
このことにより、画像処理装置は、本来表示対応補正処理の一部の補正処理をした第１補正済み画像データと、本来表示対応補正処理の全ての補正処理をした第２補正済み画像データと、の差分を算出することとなり、本来表示対応補正処理を全くしていない第１補正済み画像データとの差分を算出する構成と比べて、差分を少なくすることが可能となる。このため、差分データのビット数を低減することが可能となり、データ送受信の低速化をより抑制することが可能となる。
【００２０】
本発明のプロジェクションシステムでは、前記本来表示対応補正処理は、色変換処理、γ補正処理、および、白黒伸張処理のうち少なくともいずれか１つを含むことが好ましい。
【００２１】
本発明では、本来表示対応補正処理に、色変換処理、γ補正処理、および、白黒伸張処理のうち少なくともいずれか１つを含んでいる。
このことにより、プロジェクタは、本来表示させたい色に補正した画像を、表示させることが可能となる。
【００２２】
本発明のプロジェクションシステムでは、前記本来表示対応補正処理は、前記光変調素子の特性に起因する画像の乱れを補正する処理を含むことが好ましい。
【００２３】
本発明では、本来表示対応補正処理に、プロジェクタの光変調素子の特性に起因する画像の乱れを補正する処理を含んでいる。ここで、光変調素子の特性に起因する画像の乱れとしては、色むら、輝度むらが例示できる。
このことにより、プロジェクタは、光変調素子の特性に起因する画像の乱れを本来表示させたい状態で補正した画像を、表示させることが可能となる。さらに、画像処理装置にて、処理負荷が大きい画像単位での補正処理を実施するので、プロジェクタの処理負荷を抑制しつつ、本来表示させたい画像を表示させることが可能となる。
【００２４】
本発明のプロジェクションシステムでは、前記画像処理装置は、前記画像データに基づく画像を適正に表示させるために前記光変調素子に入射させる光の量を設定し、この設定した光の量に関する光量データを生成する光量データ生成部と、前記光量データを前記デジタル通信手段を介して前記プロジェクタへ送信する光量データ送信部と、を備え、前記プロジェクタは、前記画像処理装置から送信された前記光量データを取得し、この光量データに基づいて前記光変調素子に入射させる光の量を調整する光量調整部を備えていることが好ましい。
【００２５】
本発明では、画像処理装置は、画像データに基づく画像を適正に表示させるために光変調素子に入射させる光の量を設定し、この設定した光の量に関する光量データをデジタル通信手段を介してプロジェクタへ送信する。そして、プロジェクタは、画像処理装置からの光量データに基づいて、光変調素子に入射させる光の量を調整する。
このことにより、プロジェクタは、光量の調整により、暗い画像を解像度を上げて表示させることが可能となる。また、光量を低くすることにより、黒い部分をいわゆる浮かせることなく表示させることが可能となる。したがって、プロジェクタは、より良好に画像を表示させることが可能となる。
【００２６】
本発明のプロジェクションシステムでは、前記光源装置は、互いに異なる特定の色の光を出射する複数の特定色光源部を備え、前記光量調整部は、前記特定色光源部からそれぞれ出射される光の量を独立的に調整する処理を前記光変調素子に入射させる光の量を調整する処理として実施することが好ましい。
【００２７】
本発明では、光源装置に、互いに異なる特定の色の光を出射する複数の特定色光源部を設けている。そして、光量調整部は、特定色光源部から出射される光の量を独立的に調整する。
このことにより、プロジェクタは、より詳細な色の調整が可能となり、さらに良好な画像を表示させることが可能となる。
【００２８】
本発明のプロジェクションシステムでは、前記光源装置は、前記複数の特定色光源部として、赤色光源部と、緑色光源部と、青色光源部と、を備えていることが好ましい。
【００２９】
本発明では、光源装置に、複数の特定色光源部として、赤色光源部、緑色光源部、および、青色光源部を設けている。
このことにより、出射される光の三原色を制御するだけでよく、色の調整を容易に可能となる。
【００３０】
本発明のプロジェクタは、画像データに基づいて光源装置から射出された光束を変調して光学像を形成する光変調素子、および、前記光学像を拡大投射して画像を表示させる投射光学装置を備えたプロジェクタであって、前記画像データを処理する画像処理装置にデジタル通信手段を介してデジタル通信可能に接続され、前記画像データに対して実施可能なプロジェクタ補正処理をして、第１補正済み画像データを生成するプロジェクタ補正部と、前記画像データに対して本来表示させたい画像を表示させるための本来表示対応補正処理が実施されて生成された第２補正済み画像データおよび前記第１補正済み画像データの差分に関する差分データを前記デジタル通信手段を介して前記画像処理装置から取得し、前記第１補正済み画像データに対して前記差分データに基づく補正処理をして前記第２補正済み画像データを生成する差分補正部と、前記光変調素子を制御して、前記第２補正済み画像データに基づく画像を表示させる表示制御部と、を備えていることを特徴とする。
【００３１】
本発明のプロジェクタでは、前記画像処理装置に画像データ伝送手段を介して前記画像データを送受信可能に接続され、前記プロジェクタ補正処理は、複数の補正処理を含み、前記画像データに対して前記プロジェクタ補正処理に含まれる複数の補正処理のうち少なくともいずれか１つを除いた補正処理をして一部補正済み画像データを生成する一部補正済み画像データ生成部と、前記一部補正済み画像データを前記画像データ伝送手段を介して前記画像処理装置へ送信する一部補正済み画像データ送信部と、を備え、前記差分補正部は、前記一部補正済み画像データに対して前記プロジェクタ補正処理に含まれる複数の補正処理のうち前記一部補正済み画像データに対してされていない補正処理がされて生成された前記第１補正済み画像データ、および、前記一部補正済み画像データに対して前記本来表示対応補正処理がされて生成された前記第２補正済み画像データの差分に関する前記差分データを取得することが好ましい。
【００３２】
本発明のプロジェクタでは、前記本来表示対応補正処理は、複数の補正処理を含み、前記プロジェクタ補正処理に関するプロジェクタ補正用データを記憶するプロジェクタ補正用データ記憶部と、前記本来表示対応補正処理に含まれる複数の補正処理のうち少なくともいずれか１つを除いた補正処理に関する一部補正用データを前記デジタル通信手段を介して前記画像処理装置から取得し、前記プロジェクタ補正用データ記憶部に記憶させる一部補正用データ記憶処理部と、を備え、前記プロジェクタ補正部は、前記画像データに対して前記プロジェクタ補正用データ記憶部に記憶された前記プロジェクタ補正用データに基づく前記プロジェクタ補正処理および前記一部補正用データに基づく前記補正処理をして、前記第１補正済み画像データを生成することが好ましい。
【００３３】
本発明のプロジェクタでは、前記画像データに基づく画像を適正に表示させるために前記光変調素子に入射させる光の量に関する光量データを前記デジタル通信手段を介して前記画像処理装置から取得し、この光量データに基づいて前記光変調素子に入射させる光の量を調整する光量調整部を備えていることが好ましい。
【００３４】
本発明のプロジェクタでは、前記光源装置は、互いに異なる特定の色の光を出射する複数の特定色光源部を備え、前記光量調整部は、前記特定色光源部からそれぞれ出射される光の量を独立的に調整する処理を前記光変調素子に入射させる光の量を調整する処理として実施することが好ましい。
【００３５】
本発明のプロジェクタでは、前記光源装置は、前記複数の特定色光源部として、赤色光源部と、緑色光源部と、青色光源部と、を備えていることが好ましい。
【００３６】
上述した本発明のプロジェクタでは、上述したプロジェクションシステムに好適なプロジェクタとすることが可能となる。
【００３７】
本発明の画像処理プログラムは、プロジェクタにデジタル通信手段を介して接続される画像処理装置で実行される画像処理プログラムであって、前記画像処理装置が、前記画像データに対して前記プロジェクタで実施可能なプロジェクタ補正処理をして、第１補正済み画像データを生成する第１処理装置補正ステップと、前記画像データに対して前記プロジェクタにより本来表示させたい画像を表示させるための本来表示対応補正処理をして、第２補正済み画像データを生成する第２処理装置補正ステップと、前記第１補正済み画像データおよび前記第２補正済み画像データの差分に関する差分データを生成する差分データ生成ステップと、前記差分データを前記デジタル通信手段を介して前記プロジェクタへ送信する差分データ送信ステップと、を実行することを特徴とする。
【００３８】
本発明の画像処理プログラムを記録した記録媒体は、上述した画像処理プログラムがコンピュータにて読み取り可能に記録されていることを特徴とする。
【００３９】
上述した本発明の画像表示プログラムおよび記録媒体は、上述したプロジェクションシステムに上述した各処理を実施させるために利用されるので、上述したプロジェクションシステムと同様の作用効果を奏することが可能となる。
【発明を実施するための最良の形態】
【００４０】
［第１実施形態］
以下、本発明の第１実施形態を図面に基づいて説明する。
【００４１】
〔プロジェクションシステムの構成〕
図１は、第１実施形態に係るプロジェクションシステム１Ａの外観図である。このプロジェクションシステム１Ａは、画像データに所定の補正処理をして、この補正された画像データに基づく画像を適宜表示させる。そして、プロジェクションシステム１Ａは、ＰＣ２Ａ（画像処理装置）と、プロジェクタ３Ａと、データ伝送手段４Ａと、を備えている。
【００４２】
なお、以下において、プロジェクタ３Ａで実施可能な画像補正処理を通常補正処理と、この通常補正処理よりも高度かつプロジェクタ３Ａで高速処理不可能な補正処理を高品質補正処理と、称す。ここで、通常補正処理としては、比較的簡単な補正方法である線形補間を用いた補正処理が例示できる。また、高品質補正処理としては、線形補間を用いた補正方法よりも複雑な補正方法であるLagrange補間、Newton補間、Spline補間を用いた補正処理が例示できる。
そして、解像度変換処理、形状変換処理、輪郭強調処理、ノイズ除去処理をまとめて画質変換処理と称す。また、色変換処理、γ補正処理、ＶＴ−γ補正処理、白黒伸張処理をまとめて色補正処理と称す。さらに、プロジェクタ３Ａの後述する画像投射部３３Ａの特性に起因し他の画素の影響を受けて生じる色むらを補正する色むら補正処理、ゴースト補正、クロストーク補正、輝度むら補正処理をまとめてむら補正処理と称す。
【００４３】
〔データ伝送手段の構成〕
データ伝送手段４Ａは、ＰＣ２Ａと、プロジェクタ３Ａと、を各種データを送受信可能に接続する。そして、データ伝送手段４Ａは、画像データケーブル４１（画像データ伝送手段）および補正用データケーブル４２（デジタル通信手段）の両方、または、画像データケーブル４１のみを備えることが可能である。
【００４４】
画像データケーブル４１は、ＰＣ２Ａと、プロジェクタ３Ａと、をアナログの画像データを送受信可能に接続するＤ−ＳＵＢケーブルである。なお、画像データケーブル４１としては、デジタルの画像データを送受信可能なＤＶＩ（Digital Visual Interface）ケーブル、ＬＡＮ（Local Area Network）ケーブル、ＵＳＢ（Universal Serial Bus）ケーブルなどを適用してもよい。
補正用データケーブル４２は、ＰＣ２Ａと、プロジェクタ３Ａと、を画像データよりもデータ量が少ない後述するデジタルの第１差分データおよび出力用パラメータを送受信可能に接続するＵＳＢケーブルである。この補正用データケーブル４２は、ＰＣ２Ａと、プロジェクタ３Ａと、にそれぞれ着脱可能な図示しないケーブルコネクタを備えている。なお、補正用データケーブル４２としては、デジタルデータを送受信可能なシリアルバスケーブルなどを適用してもよい。
【００４５】
〔ＰＣの構成〕
図２は、ＰＣ２Ａの概略構成を示すブロック図である。
ＰＣ２Ａは、通常補正処理および高品質補正処理に利用される各種パラメータを記憶可能な記憶容量を有するとともに、高品質補正処理を高速で処理可能な機能を有している。このＰＣ２Ａは、通常補正処理を実施した画像データと、高品質補正処理を実施した画像データと、の差分を求める。そして、この差分に関する第１差分データを、通常補正処理および高品質補正処理を実施していない画像データとともにプロジェクタ３Ａへ送信する。このＰＣ２Ａは、操作部２１と、表示部２２と、第１ＰＣコネクタ２３Ａと、第２ＰＣコネクタ２４と、制御装置２５Ａと、を備えている。
【００４６】
操作部２１は、例えば、キーボードおよびマウスなどで入力操作される各種操作ボタンを有している。そして、利用者による操作部２１の入力操作により、操作部２１から適宜所定の操作信号を制御装置２５Ａに出力する。
表示部２２は、制御装置２５Ａにより制御され、所定の情報を表示する。
第１ＰＣコネクタ２３Ａには、画像データケーブル４１が接続されている。この第１ＰＣコネクタ２３Ａは、制御装置２５Ａに接続されたデータ送信部２３１（画像データ送信部）により、制御装置２５Ａからの画像データを画像データケーブル４１を介してプロジェクタ３Ａへ送信する。
第２ＰＣコネクタ２４には、補正用データケーブル４２のケーブルコネクタが着脱可能に接続される。この第２ＰＣコネクタ２４は、制御装置２５Ａに接続されたデータ受信部２４１により、補正用データケーブル４２を介してプロジェクタ３Ａから後述する出力用パラメータを受信して、制御装置２５Ａへ出力する。また、第２ＰＣコネクタ２４は、制御装置２５Ａに接続されたデータ送信部２４２（差分データ送信部）により、制御装置２５Ａからの第１差分データを補正用データケーブル４２を介してプロジェクタ３Ａへ送信する。
【００４７】
制御装置２５Ａは、操作部２１からの操作信号の入力に応じて、所定のプログラムを実行し、ＰＣ２全体を制御する。この制御装置２５Ａは、図示しないバスにより各種データを伝送可能に接続された、メインメモリ２５１と、補助メモリ２５２（処理装置画像データ記憶部）と、ＰＣ補正パラメータ記憶部２５３Ａと、パラメータ保存処理部２５４Ａと、表示方式判断部２５５と、ＰＣ画像処理部２５６Ａと、を備えている。
【００４８】
メインメモリ２５１は、ＰＣ画像処理部２５６Ａなどで処理するためのデータなどを記憶する。
補助メモリ２５２としては、映像ソースの各種メディアが利用され、デジタルデータとして映像と音声とを記録したＤＶＤ（Digital Versatile Disc）などが例示できる。
【００４９】
ＰＣ補正パラメータ記憶部２５３Ａは、それぞれ画像データを補正処理するための、ＰＪパラメータ２５３Ａ１と、高品質パラメータ２５３Ａ２と、を記憶している。
ＰＪパラメータ２５３Ａ１は、パラメータ保存処理部２５４ＡによりＰＣ補正パラメータ記憶部２５３Ａに適宜保存される。このＰＪパラメータ２５３Ａ１は、通常補正処理をＰＣ画像処理部２５６Ａにおいて実施する際に利用される。このＰＪパラメータ２５３Ａ１には、１つのモード、例えばプレゼンテーション用のモード（以下、プレゼンモードと称す）において実施される解像度変換処理、形状変換処理と、色補正処理と、に関するパラメータが記録されている。
高品質パラメータ２５３Ａ２は、高品質補正処理、すなわち通常補正処理が画像データに対して実施された場合よりも高品質な画像が表示されるような補正処理を、ＰＣ画像処理部２５６Ａにおいて実施する際に利用される。この高品質パラメータ２５３Ａ２には、複数のモード、例えば映画モード、スポーツモードなどにおいて実施される画質変換処理、色補正処理に関するパラメータが記録されている。なお、高品質パラメータ２５３Ａ２としては、１つのモードに関するパラメータを記録する構成としてもよい。
【００５０】
パラメータ保存処理部２５４Ａは、ＰＣ２Ａが補正用データケーブル４２を介してプロジェクタ３Ａに接続されており、かつ、ＰＣ補正パラメータ記憶部２５３ＡにＰＪパラメータ２５３Ａ１が保存されていないことを認識すると、出力用パラメータの送信を要求する旨のパラメータ要求信号を補正用データケーブル４２を介して、プロジェクタ３Ａへ送信する。そして、プロジェクタ３Ａから出力用パラメータを取得して、ＰＪパラメータ２５３Ａ１としてＰＣ補正パラメータ記憶部２５３Ａに保存する。
表示方式判断部２５５は、ＰＣ２Ａが補正用データケーブル４２を介してプロジェクタ３Ａに接続されており、かつ、ＰＣ補正パラメータ記憶部２５３ＡにＰＪパラメータ２５３Ａ１が保存されていることを認識すると、ＰＣ画像処理部２５６Ａで補正した高品質な画像をプロジェクタ３Ａで表示させる処理（高品質表示処理）を実施すると判断する。一方、補正用データケーブル４２を介してプロジェクタ３Ａに接続されていない、または、ＰＪパラメータ２５３Ａ１が保存されていないことを認識すると、ＰＣ画像処理部２５６Ａで補正していない通常の画像をプロジェクタ３Ａで表示させる処理（通常表示処理）を実施すると判断する。
【００５１】
ＰＣ画像処理部２５６Ａは、例えばＧＰＵ（Graphics Processor Unit）などを含んで構成され、上述したような画像補正処理を実施する。このＰＣ画像処理部２５６Ａは、画像データ復号部２５６Ａ１（画像データ取得部）と、ＰＣ補正処理部２５６Ａ２（第１，２処理装置補正部）と、差分データ生成部２５６Ａ３と、エンコーダ２５６Ａ４と、を備えている。
【００５２】
画像データ復号部２５６Ａ１は、補助メモリ２５２からの映像ソースに対して記録方式に応じた解凍を行ってフレーム毎に画像データを復号する。そして、表示方式判断部２５５で高品質表示処理を実施すると判断されている場合、画像データをＰＣ補正処理部２５６Ａ２へ出力するとともに、画像データケーブル４１を介してプロジェクタ３Ａへ送信する。また、通常表示処理を実施すると判断されている場合、画像データをＰＣ補正処理部２５６Ａ２へ出力せずに、プロジェクタ３Ａのみへ送信する。ここで、画像データ復号部２５６Ａ１で復号された画像データは、各画素の色調が８ビットのデータにより２５６階調で表現可能な構成を有している。なお、画像データを、８ビットよりも多いビット数、あるいは少ないビット数で構成してもよい。
【００５３】
ＰＣ補正処理部２５６Ａ２は、画像データ復号部２５６Ａ１により復号された画像データに対して、高品質パラメータ２５３Ａ２に基づく高品質補正処理を実施して、高品質補正画像中間データ（第２補正済み画像データ）を生成する。また、ＰＣ補正処理部２５６Ａ２は、画像データに対して、ＰＪパラメータ２５３Ａ１に基づく通常補正処理を実施して、通常補正画像中間データ（第１補正済み画像データ）を生成する。そして、ＰＣ補正処理部２５６Ａ２は、画像解析部２５６Ａ２１と、画質変換部２５６Ａ２２と、色補正部２５６Ａ２３と、を備えている。
【００５４】
画像解析部２５６Ａ２１は、画像データ復号部２５６Ａ１から画像データを取得して、色解析処理、動き検出処理、ノイズ検出処理などの画像解析処理を実施する。そして、画質変換処理に利用可能な各種データを画質変換用データとして、画質変換部２５６Ａ２２へ出力する。また、色補正処理に利用可能な各種データを色補正用データとして、色補正部２５６Ａ２３へ出力する。
画質変換部２５６Ａ２２は、画像データ復号部２５６Ａ１からの画像データを取得すると、高品質パラメータ２５３Ａ２から例えば利用者により選択されたモード（以下、利用者選択モードと称す）において実施される画質変換処理に関するパラメータを読み出す。そして、このパラメータおよび画像解析部２５６Ａ２１からの画質変換用データに基づく高品質補正処理（以下、高品質画質変換処理と称す）を、画像データに対して実施して、色補正部２５６Ａ２３へ出力する。また、画質変換部２５６Ａ２２は、ＰＪパラメータ２５３Ａ１からプレゼンモードにおいて実施される解像度変換処理および形状変換処理に関するパラメータを読み出す。そして、このパラメータに基づく通常補正処理（以下、通常画質変換処理と称す）を、画像データに対して実施して、色補正部２５６Ａ２３へ出力する。ここで、画質変換部２５６Ａ２２において処理された画像データは、画像データ復号部２５６Ａ１から取得した際と同様の８ビットのデータとなる。
【００５５】
色補正部２５６Ａ２３は、画質変換部２５６Ａ２２から高品質画質変換処理が実施された画像データを取得すると、高品質パラメータ２５３Ａ２から利用者選択モードの色補正処理に関するパラメータを読み出す。そして、このパラメータおよび画像解析部２５６Ａ２１からの色補正用データに基づく高品質補正処理（以下、高品質色補正処理と称す）を画像データに対して実施して、高品質中間データとして例えばメインメモリ２５１へ保存する。また、色補正部２５６Ａ２３は、画質変換部２５６Ａ２２から通常画質変換処理が実施された画像データを取得すると、ＰＪパラメータ２５３Ａ１からプレゼンモードの色補正処理に関するパラメータを読み出す。そして、このパラメータに基づく通常補正処理（以下、通常色補正処理と称す）を画像データに対して実施して、通常中間データとして例えばメインメモリ２５１へ保存する。ここで、この第１実施形態および後述する第７実施形態では、画像解析処理、高品質画質変換処理、および、高品質色補正処理が、本発明の本来表示対応補正処理に対応し、通常画質変換処理および通常色補正処理が、本発明のプロジェクタ補正処理に対応する。また、色補正部２５６Ａ２３において処理された画像データは、画質変換部２５６Ａ２２から取得した際よりもビット数が多い１０ビットのデータとなる。
【００５６】
差分データ生成部２５６Ａ３は、メインメモリ２５１に保存された高品質中間データおよび通常中間データを取得して、これらの差分を求める。そして、この差分に関する第１差分データを生成して、エンコーダ２５６Ａ４へ出力する。この第１差分データは、通常画質変換処理および通常色補正処理が実施された画像データを、高品質画質変換処理および高品質色補正処理が実施された状態に補正するためのデータとなる。ここで、高品質中間データおよび通常中間データの差異は、主に利用者選択モードに対応した高品質な画像を表示させるための補正処理が実施されたか否かのみである。このため、高品質中間データおよび通常中間データの差分は、比較的小さく、高品質中間データのビット数よりも少ない数ビット、例えば２ビットで表すことが可能となる。すなわち、差分データ生成部２５６Ａ３で生成される第１差分データは、高品質中間データに対して下位の数ビットのデータとなる。
エンコーダ２５６Ａ４は、差分データ生成部２５６Ａ３にて生成された第１差分データを符号化して、補正用データケーブル４２を介して、プロジェクタ３Ａへ送信する。
【００５７】
〔プロジェクタの構成〕
図３は、プロジェクタ３Ａの概略構成を示すブロック図である。図４は、プロジェクタ３Ａの画像投射部３３Ａの概略構成を示す模式図である。
プロジェクタ３Ａは、通常補正処理および高品質補正処理で利用される各種パラメータのうち通常補正処理の各種パラメータのみを記憶可能な記憶容量を有するとともに、高品質補正処理を高速で処理不可能な構成を有している。このプロジェクタ３Ａは、ＰＣ２Ａから第１差分データおよび画像データを受信する。そして、画像データに対して通常補正処理を実施するとともに、第１差分データに基づく補正処理（以下、差分補正処理と称す）を実施して、利用者選択モードに対応する高品質補正処理が実施された高品質画像をスクリーンＳｃ上で表示させる。すなわち、複雑な高品質補正処理を実施することなく、高品質画像を表示させる。また、プロジェクタ３Ａは、ＰＣ２Ａから画像データのみを受信して、プレゼンモードに対応する通常補正処理が実施された通常画像をスクリーンＳｃ上で表示させる。そして、プロジェクタ３Ａは、第１ＰＪコネクタ３１Ａと、第２ＰＪコネクタ３２と、画像投射部３３Ａと、制御装置３７Ａと、を備えている。
【００５８】
第１ＰＪコネクタ３１Ａには、画像データケーブル４１が接続されている。この第１ＰＪコネクタ３１Ａは、制御装置３７Ａに接続されたデータ受信部３１１により、ＰＣ２Ａから送信される画像データを受信して、制御装置３７Ａへ出力する。
第２ＰＪコネクタ３２には、補正用データケーブル４２のケーブルコネクタが着脱可能に接続される。この第２ＰＪコネクタ３２は、制御装置３７Ａに接続されたデータ受信部３２１により、補正用データケーブル４２を介してＰＣ２Ａから第１差分データを受信して、制御装置３７Ａへ出力する。また、第２ＰＪコネクタ３２は、制御装置３７Ａに接続されたデータ送信部３２２（プロジェクタ補正用データ送信部）により、制御装置３７Ａからの出力用パラメータを補正用データケーブル４２を介してＰＣ２Ａへ送信する。
【００５９】
画像投射部３３Ａは、図４に示すように、光源部３３１（光源装置）を備え、光源３３２からの光はリフレクタ３３３で平行光束にされ、２枚のインテグレータレンズ３３４および偏光変換素子３３５を通って、色分離光学系３３６に進む。色分離光学系３３６は、青色および緑色を反射して赤色を通過させるダイクロイックミラー３３７と、緑色を反射して青色を通過させるダイクロイックミラー３３８と、を備え、光を赤色、緑色、青色に分離する。そして、赤色は反射ミラー３３９に反射され、緑色はダイクロイックミラー３３８に反射され、青色は二枚の反射ミラー３４１、３４２を有するリレー光学系３４０に導かれ、電気光学装置３４３の赤色用液晶ライトバルブ３４４（光変調素子）、緑色用液晶ライトバルブ３４５（光変調素子）および青色用液晶ライトバルブ３４６（光変調素子）にそれぞれ入射する。各色は、各液晶ライトバルブ３４４〜３４６において制御装置３７Ａの制御による所定の変調を受けて、プリズム３４７で合成される。合成された画像は投射光学系３４８（投射光学装置）から射出され、スクリーンＳｃ上に拡大投写される。
【００６０】
制御装置３７Ａは、ＰＣ２Ａ側からの制御指令にしたがって、プロジェクタ３Ａ全体を制御する。この制御装置３７Ａは、図３に示すように、図示しないバスにより各種データを伝送可能に接続された、ＰＪ補正パラメータ記憶部３７１Ａ（プロジェクタ補正用データ記憶部）と、パラメータ出力処理部３７２Ａ（プロジェクタ補正用データ取得部）と、ＰＪ画像処理部３７３Ａと、表示駆動制御部３７４（表示制御部）と、を備えている。
【００６１】
ＰＪ補正パラメータ記憶部３７１Ａは、画像データを補正処理するための内部処理用パラメータ３７１Ａ１（プロジェクタ補正用データ）を記憶している。
内部処理用パラメータ３７１Ａ１には、プレゼンモードで通常補正処理として実施される画質変換処理、色補正処理、むら補正処理に関するパラメータが記録されている。この内部処理用パラメータ３７１Ａ１に記録されている各パラメータは、パラメータ出力処理部３７２Ａの処理により、適宜選択的に出力用パラメータとしてＰＣ２Ａへ送信される。
パラメータ出力処理部３７２Ａは、補正用データケーブル４２を介してパラメータ要求信号を取得すると、内部処理用パラメータ３７１Ａ１から、ＰＪパラメータ２５３Ａ１として出力する各パラメータを出力用パラメータとして読み出す。そして、この出力用パラメータを、補正用データケーブル４２を介して、ＰＣ２Ａへ送信する。
【００６２】
ＰＪ画像処理部３７３Ａは、ＰＣ２Ａから送信される画像データに対して、内部処理用パラメータ３７１Ａ１に基づく通常補正処理、および、差分補正処理を実施する。このＰＪ画像処理部３７３Ａは、デコーダ３７３Ａ１と、ＰＪ補正処理部３７３Ａ２と、を備えている。
【００６３】
デコーダ３７３Ａ１は、補正用データケーブル４２を介してＰＣ２Ａから送信された第１差分データを取得する。そして、この第１差分データを復号してＰＪ補正処理部３７３Ａ２へ出力する。
ＰＪ補正処理部３７３Ａ２は、ＰＣ２Ａからの画像データを取得するとともに、デコーダ３７３Ａ１から第１差分データを取得した場合、画像データに対して、内部処理用パラメータ３７１Ａ１に基づく通常補正処理と、差分補正処理と、を実施して、高品質画像データを生成する。また、ＰＪ補正処理部３７３Ａ２は、ＰＣ２Ａから画像データのみを取得した場合、内部処理用パラメータ３７１Ａ１に基づく通常補正処理のみを実施して、通常画像データを生成する。そして、ＰＪ補正処理部３７３Ａ２は、画質変換部３７３Ａ２１（プロジェクタ補正部）と、色補正部３７３Ａ２２（プロジェクタ補正部）と、差分補正部３７３Ａ２３と、むら補正部３７３Ａ２４と、を備えている。
【００６４】
画質変換部３７３Ａ２１は、画像データケーブル４１を介して送信されるＰＣ２Ａからの画像データを取得すると、内部処理用パラメータ３７１Ａ１からプレゼンモードの解像度変換処理および形状変換処理に関するパラメータを読み出す。そして、このパラメータに基づく通常画質変換処理を、画像データに対して実施して、色補正部３７３Ａ２２へ出力する。ここで、画質変換部３７３Ａ２１において処理された画像データは、８ビットのデータとなる。
色補正部３７３Ａ２２は、画質変換部３７３Ａ２１から通常画質変換処理が実施された画像データを取得すると、内部処理用パラメータ３７１Ａ１からプレゼンモードの色補正処理に関するパラメータを読み出して、このパラメータに基づく通常色補正処理を画像データに対して実施する。そして、デコーダ３７３Ａ１から第１差分データが出力されている場合、すなわち補正用データケーブル４２を介してＰＣ２Ａに接続されている場合、この画像データを差分補正部３７３Ａ２３へ出力する。また、デコーダ３７３Ａ１から第１差分データが出力されていない場合、すなわち補正用データケーブル４２を介してＰＣ２Ａに接続されていない場合、この画像データをむら補正部３７３Ａ２４へ出力する。ここで、色補正部３７３Ａ２２において処理された画像データは、ＰＣ２Ａで生成された通常中間データと同一のデータであり、１０ビットのデータとなる。
【００６５】
差分補正部３７３Ａ２３は、色補正部３７３Ａ２２から通常色補正処理が実施された画像データを取得するとともに、デコーダ３７３Ａ１から第１差分データを取得すると、差分補正処理を実施する。具体的には、差分補正部３７３Ａ２３は、画像データを構成する１０ビットのデータにおける下位の数ビットに、第１差分データを構成する数ビットのデータを加算する処理をする。例えば、第１差分データが２ビットのデータの場合、画像データの下位の２ビットに第１差分データを構成する２ビットのデータを加算する処理をする。この第１差分データの加算処理により、画像データの各画素の色調が、通常画質変換処理および通常色補正処理が実施された状態から、高品質画質変換処理および高品質色補正処理が実施された状態に補正される。そして、差分補正部３７３Ａ２３は、差分補正処理が実施された画像データを、むら補正部３７３Ａ２４へ出力する。
【００６６】
むら補正部３７３Ａ２４は、差分補正部３７３Ａ２３から差分補正処理が実施された画像データを取得すると、内部処理用パラメータ３７１Ａ１からプレゼンモードのむら補正処理に関するパラメータを読み出す。そして、このパラメータに基づく通常むら補正処理を、画像データに対して実施して、第１高品質画像データとして表示駆動制御部３７４へ出力する。また、むら補正部３７３Ａ２４は、色補正部３７３Ａ２２から通常色補正処理が実施された画像データを取得すると、この画像データに対して上述した通常むら補正処理を実施して、通常画像データとして表示駆動制御部３７４へ出力する。
【００６７】
表示駆動制御部３７４は、ＰＪ画像処理部３７３Ａから第１高品質画像データを取得すると、第１高品質画像データに基づく第１高品質画像を表示させる状態に各液晶ライトバルブ３４４〜３４６を駆動させる制御信号を出力する。この第１高品質画像は、高品質画質変換処理、高品質補正処理、および、通常むら補正処理が実施された画像となる。また、表示駆動制御部３７４は、ＰＪ画像処理部３７３Ａから通常画像データを取得すると、通常画像データに基づく通常画像を表示させる状態に各液晶ライトバルブ３４４〜３４６を駆動させる制御信号を出力する。
【００６８】
〔プロジェクションシステムの動作〕
上述したプロジェクションシステム１Ａの動作として、高品質表示処理について説明する。図５は、高品質表示処理を示すフローチャートである。
まず、ＰＣ２Ａは、図５に示すように、補助メモリ２５２から例えば利用者により選択された映像ソースを読み出して（ステップＳ１０１）、画像データを復号する（ステップＳ１０２）。この後、ＰＣ２Ａは、復号された画像データに対して画像解析処理（ステップＳ１０３：第２処理装置補正ステップ）、高品質画質変換処理（ステップＳ１０４：第２処理装置補正ステップ）、高品質色補正処理（ステップＳ１０５：第２処理装置補正ステップ）を実施して、高品質中間データとして保存する（ステップＳ１０６）。
【００６９】
また、ＰＣ２Ａは、ステップＳ１０２で復号された画像データに対して、通常画質変換処理（ステップＳ１０７：第１処理装置補正ステップ）、通常色補正処理（ステップＳ１０８：第１処理装置補正ステップ）を実施して、通常中間データとして保存する（ステップＳ１０９）。この後、ＰＣ２Ａは、高品質中間データおよび通常中間データの差分演算処理（ステップＳ１１０）を実施して、第１差分データを生成する（ステップＳ１１１：差分データ生成ステップ）。そして、各補正処理が実施されていない画像データを画像データケーブル４１を介してプロジェクタ３Ａへ送信するとともに、第１差分データを補正用データケーブル４２を介してプロジェクタ３Ａへ送信する（ステップＳ１１２：差分データ送信ステップ）。
【００７０】
プロジェクタ３Ａは、画像データおよび第１差分データを受信すると（ステップＳ１１３）、この画像データに対して、通常画質変換処理（ステップＳ１１４）、通常色補正処理（ステップＳ１１５）を実施する。そして、第１差分データに基づく差分補正処理（ステップＳ１１６）、通常むら補正処理（ステップＳ１１７）を実施して、第１高品質画像を表示させる（ステップＳ１１８）。
【００７１】
〔第１実施形態の作用効果〕
上述したような第１実施形態では、以下のような作用効果を奏することができる。
【００７２】
（１）プロジェクションシステム１ＡのＰＣ２Ａは、画像データに対してプロジェクタ３Ａで実施可能な通常画質変換処理および通常色補正処理、すなわち比較的簡単な線形補間を用いた補正処理をして、通常中間データを生成する。また、画像データに対してプロジェクタ３Ａで本来表示させたい高品質画像を表示させるための高品質画質変換処理および高品質色補正処理、すなわち例えばLagrange補間を用いた補正処理をして、高品質中間データを生成する。さらに、ＰＣ２Ａは、通常中間データおよび高品質中間データの差分を算出し、この算出した差分に関する第１差分データを生成して、補正用データケーブル４２を介してプロジェクタ３Ａへ出力する。
プロジェクタ３Ａは、画像データに対して通常画質変換処理および通常色補正処理を実施して、この処理された画像データに対して第１差分データに基づく差分補正処理をする。そして、表示駆動制御部３７４は、差分補正処理がされた画像データに基づいて、第１高品質画像を表示させる。
このことにより、プロジェクタ３Ａは、高品質補正処理がされた１０ビットの画像データと比べてビット数が少ない差分データを取得して、この差分データに基づく補正処理をするだけで、高品質補正処理がされた画像データに基づく本来表示させたい画像を表示させることができる。このため、ＰＣ２Ａから高品質補正処理がされた画像データを受信することなく、本来表示させたい画像を表示させることができる。したがって、データ送受信の低速化を抑制しつつ、良好な画像を表示させることができる。
【００７３】
（２）ＰＣ２Ａは、補助メモリ２５２に記憶された画像データを、画像データケーブル４１を介してプロジェクタ３Ａへ出力する。そして、プロジェクタ３Ａは、ＰＣ２Ａからの画像データを取得して、第１高品質画像を表示させる。
このことにより、画像データをＰＣ２Ａやプロジェクタ３Ａに出力するだけの構成を設ける必要がなく、プロジェクションシステム１Ａの構成を簡略にできる。
【００７４】
（３）プロジェクタ３Ａは、ＰＪ補正パラメータ記憶部３７１Ａに記憶された内部処理用パラメータ３７１Ａ１から出力パラメータを読み出し、補正用データケーブル４２を介してＰＣ２Ａへ出力する。そして、ＰＣ２Ａは、プロジェクタ３Ａからの出力用パラメータ、すなわちＰＪパラメータ２５３Ａ１に基づく通常補正処理を実施する。
このことにより、ＰＣ２Ａは、補正用データケーブル４２を介して接続されるプロジェクタ３Ａの性能に対応した差分データを適切に生成することができる。また、差分データの送受信に利用する補正用データケーブル４２を出力用パラメータの送受信にも利用するので、プロジェクションシステム１Ａの構成の複雑化を招くことなく、差分データを適切に生成することができる。
【００７５】
（４）高品質補正処理に、色変換、γ補正、および、白黒伸張に関する処理を含んでいる。
このことにより、プロジェクタ３Ａは、本来表示させたい色の第１高品質画像を表示させることができる。
【００７６】
［第２実施形態］
次に、本発明の第２実施形態を図面に基づいて説明する。
なお、この第２実施形態および後述する第３〜９実施形態において、第１実施形態あるいは他の実施形態における説明済みの構成および動作と同一の構成については、同一符号を付し説明を省略し、略等しい構成については、同一名称を付し説明を簡略にする。
【００７７】
〔プロジェクションシステムの構成〕
図１は、第２実施形態に係るプロジェクションシステム１Ｂの外観図である。
このプロジェクションシステム１Ｂは、ＰＣ２Ｂ（画像処理装置）と、プロジェクタ３Ｂと、データ伝送手段４Ａと、を備えている。
【００７８】
〔ＰＣの構成〕
図６は、ＰＣ２Ｂの概略構成を示すブロック図である。
ＰＣ２Ｂは、制御装置２５ＢのＰＣ補正パラメータ記憶部２５３Ｂと、パラメータ保存処理部２５４Ｂと、ＰＣ画像処理部２５６Ｂと、が第１実施形態と異なっている。さらに、ＰＣ画像処理部２５６Ｂは、ＰＣ補正処理部２５６Ｂ２（第１，２処理装置補正部）の色補正部２５６Ｂ２３と、むら補正部２５６Ｂ２４と、が第１実施形態と異なっている。
【００７９】
ＰＣ補正パラメータ記憶部２５３Ｂは、ＰＪパラメータ２５３Ｂ１と、高品質パラメータ２５３Ａ２と、を記憶している。ＰＪパラメータ２５３Ｂ１には、第１実施形態のＰＪパラメータ２５３Ａ１と同一のパラメータに加え、プレゼンモードで実施されるむら補正処理に関するパラメータが記録されている。
パラメータ保存処理部２５４Ｂは、プロジェクタ３Ｂから出力用パラメータを取得して、ＰＪパラメータ２５３Ｂ１としてＰＣ補正パラメータ記憶部２５３Ｂに保存する。
【００８０】
色補正部２５６Ｂ２３は、画質変換部２５６Ａ２２からの高品質画質変換処理が実施された画像データに対して、高品質色補正処理を実施する。また、画質変換部２５６Ａ２２からの通常画質変換処理が実施された画像データに対して、通常色補正処理を実施する。
むら補正部２５６Ｂ２４は、色補正部２５６Ｂ２３から高品質色補正処理が実施された画像データを取得すると、高品質パラメータ２５３Ａ２からむら補正処理に関するパラメータを読み出す。そして、このパラメータに基づく高品質補正処理（以下、高品質むら補正処理と称す）を画像データに対して実施して、高品質中間データとして保存する。また、むら補正部２５６Ｂ２４は、色補正部２５６Ｂ２３から通常色補正処理が実施された画像データを取得すると、ＰＪパラメータ２５３Ｂ１のむら補正処理に関するパラメータに基づく通常補正処理（以下、通常むら補正処理と称す）を画像データに対して実施して、通常中間データとして保存する。ここで、この第２実施形態では、画像解析処理、高品質画質変換処理、高品質色補正処理、および、高品質むら補正処理が、本発明の本来表示対応補正処理に対応し、通常画質変換処理、通常色補正処理、および、通常むら補正処理が、本発明のプロジェクタ補正処理に対応する。
【００８１】
差分データ生成部２５６Ａ３は、高品質中間データおよび通常中間データの差分を求め、第２差分データを生成してエンコーダ２５６Ａ４へ出力する。この第２差分データは、通常画質変換処理、通常色補正処理、および、通常むら補正処理が実施された画像データを、高品質画質変換処理、高品質色補正処理、および、高品質むら補正処理が実施された状態に補正するためのデータとなる。
【００８２】
〔プロジェクタの構成〕
図７は、プロジェクタ３Ｂの概略構成を示すブロック図である。
プロジェクタ３Ｂは、制御装置３７Ｂのパラメータ出力処理部３７２Ｂ（プロジェクタ補正用データ取得部）と、ＰＪ画像処理部３７３Ｂと、が第１実施形態と異なっている。また、ＰＣ画像処理部３７３Ｂは、ＰＪ補正処理部３７３Ｂ２の色補正部３７３Ｂ２２（プロジェクタ補正部）と、むら補正部３７３Ｂ２３（プロジェクタ補正部）と、差分補正部３７３Ｂ２４と、が第１実施形態と異なっている。
【００８３】
パラメータ出力処理部３７２Ｂは、パラメータ要求信号を取得すると、ＰＪパラメータ２５３Ｂ１として出力する各パラメータを出力用パラメータとして読み出して、ＰＣ２Ｂへ送信する。
【００８４】
色補正部３７３Ｂ２２は、画質変換部３７３Ａ２１から通常画質変換処理が実施された画像データを取得すると、通常色補正処理を画像データに対して実施して、むら補正部３７３Ｂ２３へ出力する。
むら補正部３７３Ｂ２３は、色補正部３７３Ｂ２２から通常色補正処理が実施された画像データを取得すると、通常むら補正処理を実施する。そして、補正用データケーブル４２を介してＰＣ２Ｂに接続されている場合、この画像データを差分補正部３７３Ｂ２４へ出力する。また、補正用データケーブル４２を介してＰＣ２Ｂに接続されていない場合、この画像データを通常画像データとして表示駆動制御部３７４へ出力する。ここで、むら補正部３７３Ｂ２３において処理された画像データは、ＰＣ２Ｂで生成された通常中間データと同一のデータとなる。
【００８５】
差分補正部３７３Ｂ２４は、むら補正部３７３Ｂ２３から通常むら補正処理が実施された画像データを取得するとともに、デコーダ３７３Ａ１から第２差分データを取得すると、第２差分データに基づく差分補正処理を実施して、第２高品質画像データとして表示駆動制御部３７４へ出力する。この第２差分データに基づく差分補正処理により、画像データの各画素の色調が、通常画質変換処理、通常色補正処理、および、通常むら補正処理が実施された状態から、高品質画質変換処理、高品質色補正処理、および、高品質むら補正処理が実施された状態に補正される。
【００８６】
表示駆動制御部３７４は、ＰＪ画像処理部３７３Ｂから第２高品質画像データを取得すると、第２高品質画像データに基づく第２高品質画像を表示させるための制御信号を出力する。この第２高品質画像は、高品質画質変換処理、高品質補正処理、および、通常むら補正処理が実施された画像となる。
【００８７】
〔プロジェクションシステムの動作〕
上述したプロジェクションシステム１Ｂの動作として、高品質表示処理について説明する。図８は、高品質表示処理を示すフローチャートである。
【００８８】
まず、ＰＣ２Ｂは、図８に示すように、上述したステップＳ１０１〜Ｓ１０５の処理を実施すると、高品質むら補正処理（ステップＳ２０１：第２処理装置補正ステップ）を実施して、高品質中間データとして保存する（ステップＳ２０２）。また、ＰＣ２Ｂは、上述したステップＳ１０７，Ｓ１０８の処理を実施すると、通常むら補正処理（ステップＳ２０３：第１処理装置補正ステップ）を実施して、通常中間データとして保存する（ステップＳ２０４）。この後、差分演算処理（ステップＳ２０５）を実施して、第２差分データの生成処理（ステップＳ２０６：差分データ生成ステップ）、画像データおよび第２差分データのプロジェクタ３Ｂへの送信処理（ステップＳ２０７：差分データ送信ステップ）を実施する。
プロジェクタ３Ｂは、画像データおよび第２差分データを受信すると（ステップＳ２０８）、上述したステップＳ１１４，Ｓ１１５の処理、通常むら補正処理（ステップＳ２０９）を実施する。そして、第２差分データに基づく差分補正処理（ステップＳ２１０）を実施して、第２高品質画像を表示させる（ステップＳ２１１）。
【００８９】
〔第２実施形態の作用効果〕
上述したような第２実施形態では、第１実施形態の（１）〜（４）と同様の作用効果に加え、以下のような作用効果を奏することができる。
【００９０】
（５）高品質補正処理に、プロジェクタ３Ｂの各液晶ライトバルブ３４４〜３４６の特性に起因する画像の乱れ、すなわち色むら、輝度むらを補正する処理を含んでいる。
このことにより、プロジェクタ３Ｂは、色むら、輝度むらを補正した第１高品質画像を表示させることができる。さらに、ＰＣ２Ｂにて、処理負荷が大きい画像単位での補正処理を実施するので、プロジェクタ３Ｂの処理負荷を抑制しつつ、第２高品質画像を表示させることができる。
【００９１】
［第３実施形態］
次に、本発明の第３実施形態を図面に基づいて説明する。
【００９２】
〔プロジェクションシステムの構成〕
図１は、第３実施形態に係るプロジェクションシステム１Ｃの外観図である。
このプロジェクションシステム１Ｃは、ＰＣ２Ｃ（画像処理装置）と、プロジェクタ３Ｃと、データ伝送手段４Ａと、を備えている。
【００９３】
〔ＰＣの構成〕
図６は、ＰＣ２Ｃの概略構成を示すブロック図である。
ＰＣ２Ｃは、制御装置２５ＣのＰＣ画像処理部２５６Ｃが第１，２実施形態と異なっている。ＰＣ画像処理部２５６Ｃは、ＰＣ補正処理部２５６Ｃ２（第１，２処理装置補正部）の色補正部２５６Ｃ２３と、むら補正部２５６Ｃ２４と、が第１，２実施形態と異なっている。
【００９４】
色補正部２５６Ｃ２３は、画質変換部２５６Ａ２２から高品質画質変換処理が実施された画像データを取得すると、高品質色補正処理を実施する。また、画質変換部２５６Ａ２２から通常画質変換処理が実施された画像データを取得すると、通常中間データとして保存する。
むら補正部２５６Ｃ２４は、色補正部２５６Ｃ２３から高品質色補正処理が実施された画像データを取得すると、高品質むら補正処理を実施して、高品質中間データとして保存する。ここで、この第３実施形態では、画像解析処理、高品質画質変換処理、高品質色補正処理、および、高品質むら補正処理が、本発明の本来表示対応補正処理に対応し、通常画質変換処理および通常色補正処理が、本発明のプロジェクタ補正処理に対応する。
差分データ生成部２５６Ａ３は、高品質中間データおよび通常中間データの差分を求め、第３差分データを生成してエンコーダ２５６Ａ４へ出力する。この第３差分データは、通常画質変換処理および通常色補正処理が実施された画像データを、高品質画質変換処理、高品質色補正処理、および、高品質むら補正処理が実施された状態に補正するためのデータとなる。
【００９５】
〔プロジェクタの構成〕
図９は、プロジェクタ３Ｃの概略構成を示すブロック図である。
プロジェクタ３Ｃは、制御装置３７ＣのＰＪ画像処理部３７３Ｃが第１，２実施形態と異なっている。また、ＰＪ画像処理部３７３Ｃは、ＰＪ補正処理部３７３Ｃ２の色補正部３７３Ｃ２２（プロジェクタ補正部）と、差分補正部３７３Ｃ２３と、が第１，２実施形態と異なっている。
【００９６】
色補正部３７３Ｃ２２は、画質変換部３７３Ａ２１から通常画質変換処理が実施された画像データを取得すると、通常色補正処理を実施する。そして、補正用データケーブル４２を介してＰＣ２Ｃに接続されている場合、この画像データを差分補正部３７３Ｃ２３へ出力する。また、補正用データケーブル４２を介してＰＣ２Ｃに接続されていない場合、この画像データを通常画像データとして表示駆動制御部３７４へ出力する。ここで、色補正部３７３Ｃ２２において処理された画像データは、ＰＣ２Ｃで生成された通常中間データと同一のデータとなる。すなわち、通常画像データに基づく通常画像は、通常むら補正処理が実施されていない画像となる。
差分補正部３７３Ｃ２３は、色補正部３７３Ｃ２２から通常色補正処理が実施された画像データを取得するとともに、デコーダ３７３Ａ１から第３差分データを取得すると、第３差分データに基づく差分補正処理を実施して、第３高品質画像データとして表示駆動制御部３７４へ出力する。この第３差分データに基づく差分補正処理により、画像データの各画素の色調が、通常画質変換処理および通常色補正処理が実施された状態から、高品質画質変換処理、高品質色補正処理、および、高品質むら補正処理が実施された状態に補正される。
【００９７】
表示駆動制御部３７４は、ＰＪ画像処理部３７３Ｃから第３高品質画像データを取得すると、第３高品質画像データに基づく第３高品質画像を表示させるための制御信号を出力する。この第３高品質画像は、高品質画質変換処理、高品質補正処理、および、通常むら補正処理が実施された画像、すなわち第２高品質画像と同一の高品質補正処理が実施された画像となる。
【００９８】
〔プロジェクションシステムの動作〕
上述したプロジェクションシステム１Ｃの動作として、高品質表示処理について説明する。図１０は、高品質表示処理を示すフローチャートである。
【００９９】
まず、ＰＣ２Ｃは、図１０に示すように、上述したステップＳ１０１〜Ｓ１０５，Ｓ２０１，Ｓ２０２，Ｓ１０７〜Ｓ１０９の処理を実施すると、差分演算処理（ステップＳ３０１）を実施して、第３差分データの生成処理（ステップＳ３０２：差分データ生成ステップ）、画像データおよび第３差分データのプロジェクタ３Ｃへの送信処理（ステップＳ３０３：差分データ送信ステップ）を実施する。
プロジェクタ３Ｃは、画像データおよび第３差分データを受信すると（ステップＳ３０４）、ステップＳ１１４，Ｓ１１５の処理を実施する。この後、プロジェクタ３Ｃは、第３差分データに基づく差分補正処理（ステップＳ３０５）を実施して、第３高品質画像を表示させる（ステップＳ３０６）。
【０１００】
〔第３実施形態の作用効果〕
上述したような第３実施形態では、第１，２実施形態の（１）〜（５）と同様の作用効果に加え、以下のような作用効果を奏することができる。
【０１０１】
（６）ＰＣ２Ｃは、通常画質変換処理および通常色補正処理が実施された画像データを、高品質画質変換処理、高品質色補正処理、および、高品質むら補正処理が実施された状態に補正するための第３差分データを生成する。そして、プロジェクタ３Ｃは、通常画質変換処理および通常色補正処理が実施された画像データに対して、第３差分データに基づく差分補正処理をして、第３高品質画像を表示させる。
このため、プロジェクタ３Ｃにて、色むらや輝度むらなどの補正処理をすることなく、これらが補正された第３高品質画像を表示させることができる。したがって、プロジェクタ３Ｃの処理負荷を低減でき、省電力化を図ることができる。
【０１０２】
［第４実施形態］
次に、本発明の第４実施形態を図面に基づいて説明する。
【０１０３】
〔プロジェクションシステムの構成〕
図１は、第４実施形態に係るプロジェクションシステム１Ｄの外観図である。
このプロジェクションシステム１Ｄは、ＰＣ２Ｄ（画像処理装置）と、プロジェクタ３Ｄと、データ伝送手段４Ａと、を備えている。
【０１０４】
〔ＰＣの構成〕
図６は、ＰＣ２Ｄの概略構成を示すブロック図である。
ＰＣ２Ｄは、制御装置２５ＤのＰＣ補正パラメータ記憶部２５３Ｄと、パラメータ保存処理部２５４Ｄと、ＰＣ画像処理部２５６Ｄと、が第１〜３実施形態と異なっている。また、ＰＣ画像処理部２５６ＤのＰＣ補正処理部２５６Ｄ２（第１，２処理装置補正部）は、画質変換部２５６Ｄ２２と、色補正部２５６Ｄ２３と、むら補正部２５６Ｄ２４と、が第１〜３実施形態と異なっている。
【０１０５】
ＰＣ補正パラメータ記憶部２５３Ｄは、ＰＪパラメータ２５３Ｄ１と、高品質パラメータ２５３Ａ２と、を記憶している。ＰＪパラメータ２５３Ｄ１には、第２実施形態のＰＪパラメータ２５３Ｂ１から、色補正処理のパラメータを除いた各パラメータが記録されている。
パラメータ保存処理部２５４Ｄは、プロジェクタ３Ｄから出力用パラメータを取得して、ＰＪパラメータ２５３Ｄ１として保存する。
【０１０６】
画質変換部２５６Ｄ２２は、画像データ復号部２５６Ａ１からの画像データを取得すると、高品質画質変換処理を実施して、色補正部２５６Ｄ２３へ出力する。また、通常画質変換処理を実施して、通常中間データとして保存する。
色補正部２５６Ｄ２３は、画質変換部２５６Ｄ２２から高品質画質変換処理が実施された画像データを取得すると、高品質色補正処理を実施する。
むら補正部２５６Ｄ２４は、色補正部２５６Ｄ２３から高品質色補正処理が実施された画像データを取得すると、高品質むら補正処理を実施して、高品質中間データとして保存する。ここで、この第４実施形態では、画像解析処理、高品質画質変換処理、高品質色補正処理、および、高品質むら補正処理が、本発明の本来表示対応補正処理に対応し、通常画質変換処理が、本発明のプロジェクタ補正処理に対応する。
差分データ生成部２５６Ａ３は、高品質中間データおよび通常中間データの差分を求め、第４差分データを生成してエンコーダ２５６Ａ４へ出力する。この第４差分データは、通常画質変換処理が実施された画像データを、高品質画質変換処理、高品質色補正処理、および、高品質むら補正処理が実施された状態に補正するためのデータとなる。
【０１０７】
〔プロジェクタの構成〕
図１１は、プロジェクタ３Ｄの概略構成を示すブロック図である。
プロジェクタ３Ｄは、制御装置３７ＤのＰＪ補正パラメータ記憶部３７１Ｄ（プロジェクタ補正用データ記憶部）と、パラメータ出力処理部３７２Ｄ（プロジェクタ補正用データ取得部）と、ＰＪ画像処理部３７３Ｄと、が第１〜３実施形態と異なっている。また、ＰＪ画像処理部３７３Ｄは、ＰＪ補正処理部３７３Ｄ２の画質変換部３７３Ｄ２１（プロジェクタ補正部）と、差分補正部３７３Ｄ２２と、が第１〜３実施形態と異なっている。
【０１０８】
ＰＪ補正パラメータ記憶部３７１Ｄは、内部処理用パラメータ３７１Ｄ１（プロジェクタ補正用データ）を記憶している。
内部処理用パラメータ３７１Ｄ１には、第１〜３実施形態の内部処理用パラメータ３７１Ａ１から色補正処理のパラメータを除いた各パラメータが記録されている。
パラメータ出力処理部３７２Ｄは、パラメータ要求信号を取得すると、ＰＪパラメータ２５３Ｄ１として出力する各パラメータを出力用パラメータとして読み出して、ＰＣ２Ｄへ送信する。
【０１０９】
画質変換部３７３Ｄ２１は、画像データを取得すると、通常画質変換処理を実施する。そして、補正用データケーブル４２を介してＰＣ２Ｄに接続されている場合、この画像データを差分補正部３７３Ｄ２２へ出力する。また、補正用データケーブル４２を介してＰＣ２Ｄに接続されていない場合、この画像データを通常画像データとして表示駆動制御部３７４へ出力する。
差分補正部３７３Ｄ２２は、画質変換部３７３Ｄ２１から通常画質変換処理が実施された画像データを取得するとともに、デコーダ３７３Ａ１から第４差分データを取得すると、第４差分データに基づく差分補正処理を実施して、第４高品質画像データとして表示駆動制御部３７４へ出力する。この第４差分データに基づく差分補正処理により、画像データの各画素の色調が、通常画質変換処理が実施された状態から、高品質画質変換処理、高品質色補正処理、および、高品質むら補正処理が実施された状態に補正される。
表示駆動制御部３７４は、ＰＪ画像処理部３７３Ｄから第４高品質画像データを取得すると、第４高品質画像データに基づく第４高品質画像を表示させるための制御信号を出力する。この第４高品質画像は、第２，３高品質画像と同一の高品質補正処理が実施された画像となる。
【０１１０】
〔プロジェクションシステムの動作〕
上述したプロジェクションシステム１Ｄの動作として、高品質表示処理について説明する。図１２は、高品質表示処理を示すフローチャートである。
【０１１１】
まず、ＰＣ２Ｄは、図１２に示すように、上述したステップＳ１０１〜Ｓ１０５，Ｓ２０１，Ｓ２０２，Ｓ１０７の処理を実施すると、通常画質変換処理が実施された画像データを通常中間データとして保存する（ステップＳ４０１）。そして、ＰＣ２Ｄは、差分演算処理（ステップＳ４０２）を実施して、第４差分データの生成処理（ステップＳ４０３：差分データ生成ステップ）、画像データおよび第４差分データのプロジェクタ３Ｄへの送信処理（ステップＳ４０４：差分データ送信ステップ）を実施する。
プロジェクタ３Ｄは、画像データおよび第４差分データを受信すると（ステップＳ４０５）、ステップＳ１１４の処理、第４差分データに基づく差分補正処理（ステップＳ４０６）を実施して、第４高品質画像を表示させる（ステップＳ４０７）。
【０１１２】
〔第４実施形態の作用効果〕
上述したような第４実施形態では、第１，２実施形態の（１）〜（５）と同様の作用効果に加え、以下のような作用効果を奏することができる。
【０１１３】
（７）ＰＣ２Ｄは、通常画質変換処理が実施された画像データを、高品質画質変換処理、高品質色補正処理、および、高品質むら補正処理が実施された状態に補正するための第４差分データを生成する。そして、プロジェクタ３Ｄは、通常画質変換処理が実施された画像データに対して、第４差分データに基づく差分補正処理をして、第４高品質画像を表示させる。
このため、プロジェクタ３Ｄにて、色むらや輝度むらに加え、γ補正などの補正処理をすることなく、これらが補正された第４高品質画像を表示させることができる。したがって、プロジェクタ３Ｄの処理負荷を第３実施形態のプロジェクタ３Ｃよりも低減でき、さらに省電力化を図ることができる。
【０１１４】
［第５実施形態］
次に、本発明の第５実施形態を図面に基づいて説明する。
【０１１５】
〔プロジェクションシステムの構成〕
図１は、第５実施形態に係るプロジェクションシステム１Ｅの外観図である。
このプロジェクションシステム１Ｅは、ＰＣ２Ｅ（画像処理装置）と、プロジェクタ３Ｅと、データ伝送手段４Ａと、を備えている。
【０１１６】
〔ＰＣの構成〕
図１３は、ＰＣ２Ｅの概略構成を示すブロック図である。
ＰＣ２Ｅは、制御装置２５ＥのＰＣ画像処理部２５６Ｅが第１〜４実施形態と異なっている。また、ＰＣ画像処理部２５６Ｅは、ＰＣ補正処理部２５６Ｅ２（第１，２処理装置補正部）の画像解析部２５６Ｅ２１と、高品質光量補正データ生成部２５６Ｅ２２（光量データ生成部）と、色補正部２５６Ｅ２３と、が第１〜４実施形態と異なっている。なお、この第５実施形態および後述する第６実施形態では、第２ＰＣコネクタ２４のデータ送信部２４２が、本発明の光量データ送信部としても機能する。
【０１１７】
画像解析部２５６Ｅ２１は、画像解析処理を実施して、画質変換用データを画質変換部２５６Ａ２２へ、色補正用データを色補正部２５６Ｅ２３へ、それぞれ出力する。さらに、明るさに関するデータなど、プロジェクタ３Ｅで高品質画像を適正に表示させるための照明光量の設定に利用可能な各種データを、光量設定用データとして高品質光量補正データ生成部２５６Ｅ２２へ出力する。
高品質光量補正データ生成部２５６Ｅ２２は、画像解析部２５６Ｅ２１から光量設定用データを取得すると、この光量設定用データに基づいて、高品質画像を適正に表示させるための照明光量を設定する。ここで、照明光量の設定には、例えば以下のような手法を用いることができる。
すなわち、所定のフレームの画像全体のＲＧＢ値のヒストグラムを演算し、最高値から１％のデータのＲＧＢのいずれかを基準値として設定する。さらに、この基準値が画素の最大値（例えば２５５）となるように、全ての画素のＲＧＢ値を伸張処理する。そして、伸張処理した画素値の最大値の部分が、伸張前の値において最高光量で照射した場合と、伸張後の値において光量を制御してすなわち低くして照射した場合と、でスクリーンＳｃ上の照度または輝度が変わらないように、照明光量を設定する手法を用いることができる。
そして、高品質光量補正データ生成部２５６Ｅ２２は、この照明光量に関する高品質光量補正データ（光量データ）を、色補正部２５６Ｅ２３と、エンコーダ２５６Ｅ４と、へ出力する。
【０１１８】
色補正部２５６Ｅ２３は、画質変換部２５６Ａ２２から高品質画質変換処理が実施された画像データを取得するとともに、高品質光量補正データ生成部２５６Ｅ２２から高品質光量補正データを取得すると、高品質光量補正データを反映させた高品質色補正処理を実施して、高品質中間データとして保存する。また、色補正部２５６Ｅ２３は、画質変換部２５６Ａ２２から通常画質変換処理が実施された画像データを取得すると、高品質光量補正データを反映させた通常色補正処理を実施して、通常中間データとして保存する。ここで、この第５実施形態および後述する第６実施形態では、画像解析処理、高品質画質変換処理、および、高品質色補正処理が、本発明の本来表示対応補正処理に対応し、通常画質変換処理および通常色補正処理が、本発明のプロジェクタ補正処理に対応する。
差分データ生成部２５６Ａ３は、高品質中間データおよび通常中間データの差分を求め、第５差分データを生成してエンコーダ２５６Ｅ４へ出力する。この第５差分データは、通常画質変換処理および高品質光量補正データを反映させた通常色補正処理が実施された画像データを、高品質画質変換処理および高品質光量補正データを反映させた高品質色補正処理が実施された状態に補正するためのデータとなる。
エンコーダ２５６Ｅ４は、差分データ生成部２５６Ａ３にて生成された第５差分データと、高品質光量補正データ生成部２５６Ｅ２２で生成された高品質光量補正データを符号化して、補正用データケーブル４２を介して、プロジェクタ３Ｅへ送信する。
【０１１９】
〔プロジェクタの構成〕
図１４は、プロジェクタ３Ｅの概略構成を示すブロック図である。図１５は、プロジェクタ３Ｅの画像投射部３３Ｅの概略構成を示す模式図である。
プロジェクタ３Ｅは、画像投射部３３Ｅと、制御装置３７Ｅと、が第１〜４実施形態と異なっている。また、制御装置３７Ｅは、ＰＪ画像処理部３７３Ｅと、絞り機構制御部３７５（光量調整部）と、が第１〜４実施形態と異なっている。さらに、ＰＪ画像処理部３７３Ｅは、デコーダ３７３Ｅ１と、ＰＪ補正処理部３７３Ｅ２と、が第１〜４実施形態と異なっている。そして、ＰＪ補正処理部３７３Ｅ２は、画質変換部３７３Ｅ２１（プロジェクタ補正部）と、通常光量補正演算部３７３Ｅ２２と、色補正部３７３Ｅ２３（プロジェクタ補正部）と、差分補正部３７３Ｅ２４と、むら補正部３７３Ｅ２５と、が第１〜４実施形態と異なっている。
【０１２０】
画像投射部３３Ｅは、図１５に示すように、第１〜４実施形態の画像投射部３３Ａにおける偏光変換素子３３５の光の出射側に、偏光変換素子３３５からの光の量を調整する絞り機構３４９を設けたものである。この絞り機構３４９は、制御装置３７Ｅの制御により適宜駆動される。
【０１２１】
デコーダ３７３Ｅ１は、補正用データケーブル４２を介してＰＣ２Ｅから送信された第５差分データおよび高品質光量補正データを取得して、これらを復号する。そして、第５差分データをＰＪ補正処理部３７３Ｅ２へ、高品質光量補正データをＰＪ補正処理部３７３Ｅ２および絞り機構制御部３７５へ、それぞれ出力する。
【０１２２】
画質変換部３７３Ｅ２１は、画像データを取得すると、通常画質変換処理を実施する。そして、補正用データケーブル４２を介してＰＣ２Ｅに接続されている場合、この画像データを色補正部３７３Ｅ２３へ出力する。また、補正用データケーブル４２を介してＰＣ２Ｅに接続されていない場合、この画像データを色補正部３７３Ｅ２３および通常光量補正演算部３７３Ｅ２２へ出力する。
通常光量補正演算部３７３Ｅ２２は、画質変換部３７３Ｅ２１から画像データを取得すると、この画像データに基づいて、通常画像を適正に表示させるための照明光量を演算する。そして、この照明光量に関する通常光量補正データを、色補正部３７３Ｅ２３と、絞り機構制御部３７５と、へ出力する。
【０１２３】
色補正部３７３Ｅ２３は、画質変換部３７３Ｅ２１から通常画質変換処理が実施された画像データを取得し、かつ、デコーダ３７３Ｅ１から高品質光量補正データを取得した場合、この画像データに対して高品質光量補正データを反映させた通常色補正処理を実施する。そして、この画像データを差分補正部３７３Ｅ２４へ出力する。また、画質変換部３７３Ｅ２１から通常画質変換処理が実施された画像データを取得し、かつ、通常光量補正演算部３７３Ｅ２２から通常光量補正データを取得した場合、この画像データに対して通常光量補正データを反映させた通常色補正処理を実施する。そして、この画像データをむら補正部３７３Ｅ２５へ出力する。
【０１２４】
差分補正部３７３Ｅ２４は、色補正部３７３Ｅ２３から高品質光量補正データを反映させた通常色補正処理が実施された画像データを取得するとともに、デコーダ３７３Ｅ１から第５差分データを取得すると、第５差分データに基づく差分補正処理を実施して、むら補正部３７３Ｅ２５へ出力する。この第５差分データに基づく差分補正処理により、画像データの各画素の色調が、通常画質変換処理および高品質光量補正データを反映させた通常色補正処理が実施された状態から、高品質画質変換処理および高品質光量補正データを反映させた高品質色補正処理が実施された状態に補正される。
むら補正部３７３Ｅ２５は、差分補正部３７３Ｅ２４から差分補正処理が実施された画像データを取得すると、通常むら補正処理を実施して、第５高品質画像データとして表示駆動制御部３７４へ出力する。また、むら補正部３７３Ｅ２５は、色補正部３７３Ｅ２３から通常色補正処理が実施された画像データを取得すると、通常むら補正処理を実施して、通常画像データとして表示駆動制御部３７４へ出力する。
【０１２５】
表示駆動制御部３７４は、ＰＪ画像処理部３７３Ｅから第５高品質画像データを取得すると、第５高品質画像データに基づく第５高品質画像を表示させるための制御信号を出力する。この第５高品質画像は、第１高品質画像と同一の高品質補正処理が実施された画像となる。
絞り機構制御部３７５は、ＰＪ画像処理部３７３Ｅから高品質光量補正データまたは通常光量補正データを取得すると、これらに基づく光量に補正する状態に絞り機構３４９を駆動させる制御信号を出力する。
【０１２６】
〔プロジェクションシステムの動作〕
上述したプロジェクションシステム１Ｅの動作として、高品質表示処理について説明する。図１６は、高品質表示処理を示すフローチャートである。
【０１２７】
まず、ＰＣ２Ｅは、図１６に示すように、上述したステップＳ１０１〜Ｓ１０３の処理を実施すると、光量設定処理（ステップＳ５０１）を実施する。この後、ステップＳ１０４の処理を実施して、高品質光量補正データを反映させた高品質色補正処理（ステップＳ５０２：第２処理装置補正ステップ）を実施して、高品質中間データとして保存する（ステップＳ５０３）。また、ステップＳ１０７の処理を実施して、高品質光量補正データを反映させた通常色補正処理（ステップＳ５０４：第１処理装置補正ステップ）を実施して、通常中間データとして保存する（ステップＳ５０５）。そして、ＰＣ２Ｅは、差分演算処理を実施して（ステップＳ５０６）、第５差分データの生成処理（ステップＳ５０７：差分データ生成ステップ）、画像データ、第５差分データ、および、高品質光量補正データのプロジェクタ３Ｅへの送信処理（ステップＳ５０８：差分データ送信ステップ）を実施する。
【０１２８】
プロジェクタ３Ｅは、画像データ、第５差分データ、および、高品質光量補正データを受信すると（ステップＳ５０９）、ステップＳ１１４の処理を実施する。この後、高品質光量補正データを反映させた通常色補正処理（ステップＳ５１０）、第５差分データに基づく差分補正処理（ステップＳ５１１）、通常むら補正処理（ステップＳ５１２）を実施して、第５高品質画像を表示させる（ステップＳ５１３）。そして、高品質光量補正データに基づき絞り機構３４９を制御して、第５高品質画像を適正に表示させる状態に光量を調整する（ステップＳ５１４）。
【０１２９】
〔第５実施形態の作用効果〕
上述したような第５実施形態では、第１実施形態の（１）〜（４）と同様の作用効果に加え、以下のような作用効果を奏することができる。
【０１３０】
（８）ＰＣ２Ｅは、高品質画像を適正に表示させるための照明光量に関する高品質光量補正データをプロジェクタ３Ｅへ出力する。そして、プロジェクタ３Ｅは、高品質光量補正データに基づいて、照明光量を調整する。
このことにより、プロジェクタ３Ｅは、光量の調整により、暗い画像を解像度を上げて表示させることができる。また、光量を低くすることにより、黒い部分をいわゆる浮かせることなく表示させることができる。したがって、プロジェクタ３Ｅは、より良好に画像を表示させることができる。
【０１３１】
［第６実施形態］
次に、本発明の第６実施形態を図面に基づいて説明する。
【０１３２】
〔プロジェクションシステムの構成〕
図１は、第６実施形態に係るプロジェクションシステム１Ｆの外観図である。
このプロジェクションシステム１Ｆは、ＰＣ２Ｅ（画像処理装置）と、プロジェクタ３Ｆと、データ伝送手段４Ａと、を備えている。すなわち、プロジェクションシステム１Ｆは、第５実施形態に対してプロジェクタ３Ｆのみが異なる構成を有している。
【０１３３】
〔プロジェクタの構成〕
図１７は、プロジェクタ３Ｆの概略構成を示すブロック図である。図１８は、プロジェクタ３Ｆの画像投射部３５Ｆの概略構成を示す模式図である。
プロジェクタ３Ｆは、画像投射部３５Ｆと、制御装置３７Ｆと、が第１〜５実施形態と異なっている。また、制御装置３７Ｆは、ＰＪ画像処理部３７３Ｆと、固体光源制御部３７６（光量調整部）と、が第１〜５実施形態と異なっている。さらに、ＰＪ画像処理部３７３Ｆは、デコーダ３７３Ｆ１と、ＰＪ補正処理部３７３Ｆ２の通常光量補正演算部３７３Ｆ２２と、が第１〜５実施形態と異なっている。
【０１３４】
画像投射部３５Ｆは、図１８に示すように、それぞれ３個の赤色固体光源３５２（特定色光源部、赤色光源部）、緑色固体光源３５３（特定色光源部、緑色光源部）、青色固体光源３５４（特定色光源部、青色光源部）を有する光源部３５１（光源装置）を備え、各固体光源３５２〜３５４からの各色の光は、制御装置３７Ｆの制御により所定の光量に調整され、電気光学装置３４３の赤色用液晶ライトバルブ３４４、緑色用液晶ライトバルブ３４５および青色用液晶ライトバルブ３４６にそれぞれ入射する。各色は、各液晶ライトバルブ３４４〜３４６において制御装置３７Ｆの制御による所定の変調を受けて、プリズム３４７で合成される。合成された画像は投射光学系３５５（投射光学装置）から射出され、スクリーンＳｃ上に拡大投写される。
【０１３５】
デコーダ３７３Ｆ１は、ＰＣ２Ｅから送信された第５差分データおよび高品質光量補正データを復号して、第５差分データをＰＪ補正処理部３７３Ｆ２へ、高品質光量補正データを固体光源制御部３７６へ、それぞれ出力する。
通常光量補正演算部３７３Ｆ２２は、画質変換部３７３Ｅ２１から画像データを取得すると、通常光量補正データを色補正部３７３Ｅ２３と、固体光源制御部３７６と、へ出力する。
固体光源制御部３７６は、ＰＪ画像処理部３７３Ｆから高品質光量補正データまたは通常光量補正データを取得すると、これらに基づく光量に補正する状態に各固体光源３５２〜３５４を独立的に駆動させる制御信号を出力する。
なお、固体光源制御部３７６は、各固体光源３５２〜３５４を、独立のパラメータで制御してもよいし、同一のパラメータで制御してもよい。例えば、高品質光量補正データを、各固体光源３５２〜３５４毎にそれぞれ異なるパラメータとして、通常光量補正データを、各固体光源３５２〜３５４で同一のパラメータとすることができる。
【０１３６】
〔プロジェクションシステムの動作〕
上述したプロジェクションシステム１Ｆの動作として、高品質表示処理について説明する。プロジェクションシステム１Ｆにおける高品質表示処理は、図１６に示す第５実施形態のプロジェクションシステム１Ｅでの高品質表示処理中のステップＳ５１３の処理内容が異なるのみである。
すなわち、プロジェクションシステム１Ｆのプロジェクタ３Ｆは、ステップＳ５１２の処理を実施すると、ステップＳ５１３の処理として、固体光源制御部３７６にて、通常光量補正データ、高品質光量補正データに基づき各固体光源３５２〜３５４を独立的に制御して、第５高品質画像を適正に表示させる状態に光量を調整する処理をする。
【０１３７】
〔第６実施形態の作用効果〕
上述したような第６実施形態では、第１，５実施形態の（１）〜（４），（８）と同様の作用効果に加え、以下のような作用効果を奏することができる。
【０１３８】
（９）プロジェクタ３Ｆは、各固体光源３５２〜３５４から出射される光の量を独立的に調整する。
このことにより、プロジェクタ３Ｆは、より詳細な色の調整ができ、さらに良好な画像を表示させることができる。
【０１３９】
（１０）本発明の特定色光源部として、赤色固体光源３５２、緑色固体光源３５３、青色固体光源３５４を適用している。
このことにより、出射される光の三原色を制御するだけでよく、色の調整を容易にできる。
【０１４０】
（１１）プロジェクタ３Ｆに、第５実施形態のプロジェクタ３Ｅのように色分離光学系３３６を設けていない。
このことにより、プロジェクションシステム１Ｆを安価に構成できる。
【０１４１】
［第７実施形態］
次に、本発明の第７実施形態を図面に基づいて説明する。
【０１４２】
〔プロジェクションシステムの構成〕
図１９は、第７実施形態に係るプロジェクションシステム１Ｇの外観図である。
このプロジェクションシステム１Ｇは、ＰＣ２Ｇ（画像処理装置）と、プロジェクタ３Ｇと、データ伝送手段４Ｇと、画像再生装置５Ｇと、を備えている。
【０１４３】
〔データ伝送手段の構成〕
データ伝送手段４Ｇは、ＰＣ２Ｇと、プロジェクタ３Ｇと、画像再生装置５Ｇと、を各種データを送受信可能に接続する。そして、データ伝送手段４Ｇは、第１画像データケーブル４１Ａ（第１，２画像データ伝送手段）と、第２画像データケーブル４１Ｂ（第１画像データ伝送手段）と、第３画像データケーブル４１Ｃ（第２画像データ伝送手段）と、補正用データケーブル４２と、分配器４３（第１，２画像データ伝送手段）と、を備えている。
第１〜３画像データケーブル４１Ａ〜４１Ｃは、第１〜第６実施形態の画像データケーブル４１と同様の構成を有している。
第１画像データケーブル４１Ａは、画像再生装置５Ｇと、分配器４３と、を接続する。第２画像データケーブル４１Ｂは、分配器４３と、ＰＣ２Ｇと、を接続する。第３画像データケーブル４１Ｃは、分配器４３と、プロジェクタ３Ｇと、を接続する。
分配器４３は、画像再生装置５Ｇから第１画像データケーブル４１Ａを介して送信される映像ソースを、第２，３画像データケーブル４１Ｂ，４１Ｃを介して、ＰＣ２Ｇ、プロジェクタ３Ｇへそれぞれ送信する。
【０１４４】
〔画像再生装置の構成〕
画像再生装置５Ｇは、詳細は図示しないが、例えばＤＶＤに記録された映像ソースを再生して、画像を図示しない表示装置で表示させる処理をする。また、映像ソースをデータ伝送手段４Ｇを介して、ＰＣ２Ｇおよびプロジェクタ３Ｇへ送信する。
【０１４５】
〔ＰＣの構成〕
図２０は、ＰＣ２Ｇの概略構成を示すブロック図である。
ＰＣ２Ｇは、第１ＰＣコネクタ２３Ｇと、制御装置２５Ｇと、が第１〜６実施形態と異なっている。また、制御装置２５Ｇは、ＰＣ画像処理部２５６Ｇの画像データ復号部２５６Ｇ１が第１〜６実施形態と異なっている。
【０１４６】
第１ＰＣコネクタ２３Ｇには、第２画像データケーブル４１Ｂが接続されている。この第１ＰＣコネクタ２３Ｇは、制御装置２５Ｇに接続されたデータ受信部２３２により、第２画像データケーブル４１Ｂを介して送信される画像再生装置５Ｇからの映像ソースを制御装置２５Ｇへ出力する。
画像データ復号部２５６Ｇ１は、画像再生装置５Ｇからの映像ソースを復号して、画像データをＰＣ補正処理部２５６Ａ２へ出力する。
【０１４７】
〔プロジェクタの構成〕
図２１は、プロジェクタ３Ｇの概略構成を示すブロック図である。
このプロジェクタ３Ｇは、第１ＰＪコネクタ３１Ｇと、制御装置３７Ｇと、が第１〜６実施形態と異なっている。また、制御装置３７Ｇは、ＰＪ画像処理部３７３Ｇの画像データ復号部３７３Ｇ２と、ＰＪ補正処理部３７３Ｇ３と、が第１〜６実施形態と異なっている。さらに、ＰＪ補正処理部３７３Ｇ３は、画質変換部３７３Ｇ３１（プロジェクタ補正部）が第１〜６実施形態と異なっている。
【０１４８】
第１ＰＪコネクタ３１Ｇには、第３画像データケーブル４１Ｃが接続されている。この第１ＰＪコネクタ３１Ｇは、制御装置３７Ｇに接続されたデータ受信部３１２により、第３画像データケーブル４１Ｃを介して送信される画像再生装置５Ｇからの映像ソースを制御装置３７Ｇへ出力する。
画像データ復号部３７３Ｇ２は、画像再生装置５Ｇからの映像ソースを復号して、画像データをＰＪ補正処理部３７３Ｇ３へ出力する。
画質変換部３７３Ｇ３１は、画像データ復号部３７３Ｇ２からの画像データを取得すると、通常画質変換処理を実施して、色補正部３７３Ａ２２へ出力する。
【０１４９】
〔プロジェクションシステムの動作〕
上述したプロジェクションシステム１Ｇの動作として、高品質表示処理について説明する。図２２は、高品質表示処理を示すフローチャートである。
【０１５０】
まず、ＰＣ２Ｇは、図２２に示すように、画像再生装置５Ｇから映像ソースを取得して（ステップＳ７０１）、画像データを復号する（ステップＳ７０２）。この後、ＰＣ２Ｇは、上述したステップＳ１０３〜Ｓ１１１の処理を実施して、第１差分データのみをプロジェクタ３Ｇへ送信する（ステップＳ７０３）。
プロジェクタ３Ｇは、ＰＣ２Ｇから第１差分データを受信すると（ステップＳ７０４）、画像再生装置５ＧからＰＣ２Ｇに送信されたものと同一の映像ソースを取得して（ステップＳ７０５）、画像データを復号する（ステップＳ７０６）。この後、プロジェクタ３Ｇは、上述したステップＳ１１４〜Ｓ１１８の処理を実施して、第１高品質画像を表示させる。
【０１５１】
〔第７実施形態の作用効果〕
上述したような第７実施形態では、第１実施形態の（１）〜（４）と同様の作用効果に加え、以下のような作用効果を奏することができる。
【０１５２】
（１２）プロジェクションシステム１Ｇに、画像再生装置５Ｇを設けている。そして、ＰＣ２Ｇおよびプロジェクタ３Ｇは、画像再生装置５Ｇから出力された画像データに対して各種処理を実施する。
このことにより、プロジェクションシステム１Ｇは、画像再生装置５Ｇで再生可能な画像データに基づく画像を、データ送受信の低速化を抑制しつつ、良好に表示させることができる。また、ＰＣ２Ｇから画像データを出力する必要がなくなるので、ＰＣ２Ｇの処理負荷を低減できる。
【０１５３】
［第８実施形態］
次に、本発明の第８実施形態を図面に基づいて説明する。
【０１５４】
〔プロジェクションシステムの構成〕
図２３は、第８実施形態に係るプロジェクションシステム１Ｈの外観図である。
このプロジェクションシステム１Ｈは、ＰＣ２Ｈ（画像処理装置）と、プロジェクタ３Ｈと、データ伝送手段４Ｈと、画像再生装置５Ｇと、を備えている。
【０１５５】
〔データ伝送手段の構成〕
データ伝送手段４Ｈは、ＰＣ２Ｈと、プロジェクタ３Ｈと、画像再生装置５Ｇと、を各種データを送受信可能に接続する。そして、データ伝送手段４Ｈは、第１画像データケーブル４１Ｄ（第１画像データ伝送手段）と、第２画像データケーブル４１Ｅ（第２画像データ伝送手段）と、補正用データケーブル４２と、を備えている。
第１，２画像データケーブル４１Ｄ，４１Ｅは、第１〜第６実施形態の画像データケーブル４１と同様の構成を有している。第１画像データケーブル４１Ｄは、画像再生装置５Ｇと、プロジェクタ３Ｈと、を接続する。第２画像データケーブル４１Ｅは、ＰＣ２Ｈと、プロジェクタ３Ｈと、を接続する。
【０１５６】
〔画像再生装置の構成〕
画像再生装置５Ｇは、映像ソースをデータ伝送手段４Ｈを介して、プロジェクタ３Ｈのみへ送信する。
【０１５７】
〔ＰＣの構成〕
図２４は、ＰＣ２Ｈの概略構成を示すブロック図である。
ＰＣ２Ｈは、制御装置２５ＨのＰＣ補正パラメータ記憶部２５３Ｈと、パラメータ保存処理部２５４Ｈと、ＰＣ画像処理部２５６Ｈと、が第１〜７実施形態と異なっている。また、ＰＣ画像処理部２５６Ｈは、ＰＣ補正処理部２５６Ｈ２（第１，２処理装置補正部）の画質変換部２５６Ｈ２２と、色補正部２５６Ｈ２３と、が第１〜７実施形態と異なっている。
【０１５８】
第１ＰＣコネクタ２３Ｇには、第２画像データケーブル４１Ｅが接続されている。この第１ＰＣコネクタ２３Ｇのデータ受信部２３２は、制御装置２５Ｈに接続され、第２画像データケーブル４１Ｅを介して送信されるプロジェクタからの後述する画質変換済みデータ（一部補正済み画像データ）を制御装置２５Ｈへ出力する。この画質変換済みデータは、画像データに対して通常画質変換処理を実施して生成されたものである。
【０１５９】
ＰＣ補正パラメータ記憶部２５３Ｈは、ＰＪパラメータ２５３Ｈ１と、高品質パラメータ２５３Ｈ２と、を記憶している。ＰＪパラメータ２５３Ｈ１は、第２実施形態のＰＪパラメータ２５３Ｂ１から、解像度変換処理、形状変換処理に関するパラメータを除いたパラメータが記録されている。高品質パラメータ２５３Ｈ２は、第１実施形態の高品質パラメータ２５３Ａ２から、解像度変換処理、形状変換処理に関するパラメータを除いた構成を有している。
パラメータ保存処理部２５４Ｈは、プロジェクタ３Ｈから出力用パラメータを取得して、ＰＪパラメータ２５３Ｈ１としてＰＣ補正パラメータ記憶部２５３Ｈに保存する。
【０１６０】
画質変換部２５６Ｈ２２は、プロジェクタ３Ｈからの画質変換済みデータを取得すると、この形状画質変化済みデータに対して輪郭強調処理およびノイズ除去処理を実施して、色補正部２５６Ｈ２３へ出力する。
色補正部２５６Ｈ２３は、画質変換部２５６Ｈ２２から輪郭強調処理およびノイズ除去処理が実施された画質変換済みデータを取得すると、高品質色補正処理を実施して、むら補正部２５６Ｂ２４へ出力する。また、色補正部２５６Ｈ２３は、プロジェクタ３Ｈから画質変換部２５６Ｈ２２を介さずに画質変換済みデータを取得すると、通常色補正処理を実施して、むら補正部２５６Ｂ２４へ出力する。ここで、この第８実施形態では、通常画質変換処理、輪郭強調処理、ノイズ除去処理、高品質色補正処理、および、高品質むら補正処理が、本発明の本来表示対応補正処理に対応し、通常画質変換処理、通常色補正処理、および、通常むら補正処理が、本発明のプロジェクタ補正処理に対応する。
【０１６１】
差分データ生成部２５６Ａ３は、高品質中間データおよび通常中間データの差分を求め、第８差分データを生成してエンコーダ２５６Ａ４へ出力する。この第８差分データは、通常画質変換処理、通常色補正処理、および、通常むら補正処理が実施された画像データを、輪郭強調処理、ノイズ除去処理、高品質色補正処理、および、高品質むら補正処理が実施された状態に補正するためのデータとなる。
【０１６２】
〔プロジェクタの構成〕
図２５は、プロジェクタ３Ｈの概略構成を示すブロック図である。
このプロジェクタ３Ｈは、第３ＰＪコネクタ３１Ｈと、制御装置３７Ｈと、が第１〜７実施形態と異なっている。制御装置３７Ｈは、パラメータ出力処理部３７２Ｈ（プロジェクタ補正用データ取得部）と、ＰＪ画像処理部３７３Ｈと、画像データ記憶部３７７と、が第１〜７実施形態と異なっている。また、ＰＪ画像処理部３７３Ｈは、ＰＪ補正処理部３７３Ｈ３の画質変換部３７３Ｈ３１（一部補正済み画像データ生成部、プロジェクタ補正部）と、むら補正部３７３Ｈ３３（プロジェクタ補正部）と、差分補正部３７３Ｈ３４と、が第１〜７実施形態と異なっている。
【０１６３】
第１ＰＪコネクタ３１Ｇのデータ受信部３１２には、第１画像データケーブル４１Ｄが接続されている。データ受信部３１２は、制御装置３７Ｈに接続され、第１画像データケーブル４１Ｄを介して送信される画像再生装置５Ｇからの映像ソースを制御装置３７Ｈへ出力する。
第３ＰＪコネクタ３１Ｈのデータ送信部３１３（一部補正済み画像データ送信部）には、第２画像データケーブル４１Ｅが接続されている。データ送信部３１３は、制御装置３７Ｈに接続され、制御装置３７Ｈからの画質変換済みデータをＰＣ２Ｈへ送信する。
【０１６４】
パラメータ出力処理部３７２Ｈは、パラメータ要求信号を取得すると、ＰＪパラメータ２５３Ｈ１として出力する各パラメータを出力用パラメータとして読み出して、ＰＣ２Ｈへ送信する。
画像データ記憶部３７７は、ＰＪ画像処理部３７３Ｈで処理された画像データを記憶する。
【０１６５】
画質変換部３７３Ｈ３１は、画像データ復号部３７３Ｇ２からの画像データを取得すると、通常画質変換処理を実施して、色補正部３７３Ｂ２２へ出力する。また、画質変換部３７３Ｈ３１は、色補正部３７３Ｂ２２へ出力した画像データを画質変換済みデータとしてＰＣ２Ｈへ送信する。
むら補正部３７３Ｈ３３は、色補正部３７３Ｂ２２から通常色補正処理が実施された画像データを取得すると、通常むら補正処理を実施して、画像データ記憶部３７７へ記憶させる。この画像データ記憶部３７７へ記憶させる画像データは、ＰＣ２Ｈで生成される通常中間データと同一のものとなる。
差分補正部３７３Ｈ３４は、デコーダ３７３Ａ１から第８差分データを取得すると、この第８差分データに対応し通常むら補正処理が実施された画像データを画像データ記憶部３７７から取得する。そして、この取得した画像データに対して、第８差分データに基づく差分補正処理を実施して、第８高品質画像データとして表示駆動制御部３７４へ出力する。この第８差分データに基づく差分補正処理により、画像データの各画素の色調が、通常画質変換処理、通常色補正処理、および、通常むら補正処理が実施された状態から、輪郭強調処理、ノイズ除去処理、高品質色補正処理、および、高品質むら補正処理が実施された状態に補正される。
【０１６６】
〔プロジェクションシステムの動作〕
上述したプロジェクションシステム１Ｈの動作として、高品質表示処理について説明する。図２６は、高品質表示処理を示すフローチャートである。
【０１６７】
まず、プロジェクタ３Ｈは、図２６に示すように、ステップＳ７０５，Ｓ７０６，Ｓ１１４の処理を実施すると、画質変換済みデータをＰＣ２Ｈへ送信する（ステップＳ８０１）。さらに、プロジェクタ３Ｈは、ステップＳ１１５，Ｓ２０９の処理を実施して、通常中間データを画像データ記憶部３７７へ記憶させる（ステップＳ８０２）。
ＰＣ２Ｈは、プロジェクタ３Ｈから画質変換済みデータを受信すると（ステップＳ８０３）、輪郭強調処理（ステップＳ８０４：第２処理装置補正ステップ）、ノイズ除去処理（ステップＳ８０５：第２処理装置補正ステップ）を実施する。この後、ＰＣ２Ｈは、ステップＳ１０５，Ｓ２０１の処理を実施して、高品質中間データとして保存する（ステップＳ８０６）。さらに、ＰＣ２Ｈは、画質変換済みデータに対してステップＳ１０８，Ｓ２０３の処理を実施して、通常中間データとして保存する（ステップＳ８０７）。そして、ＰＣ２Ｈは、差分演算処理を実施して（ステップＳ８０８）、第８差分データの生成処理（ステップＳ８０９：差分データ生成ステップ）、第８差分データのみのプロジェクタ３Ｈへの送信処理（ステップＳ８１０：差分データ送信ステップ）を実施する。
【０１６８】
プロジェクタ３Ｈは、第８差分データを受信すると（ステップＳ８１１）、この第８差分データに対応する通常中間データをデータ記憶部３７７から取得する（ステップＳ８１２）。そして、プロジェクタ３Ｈは、第８差分データに基づく差分補正処理（ステップＳ８１３）を実施して、第８高品質画像を表示させる（ステップＳ８１４）。
【０１６９】
〔第８実施形態の作用効果〕
上述したような第８実施形態では、第１，７実施形態の（１）〜（４），（１２）と同様の作用効果に加え、以下のような作用効果を奏することができる。
【０１７０】
（１３）プロジェクタ３Ｈは、画像再生装置５Ｇから取得した画像データに対して、通常補正処理のうち通常画質変換処理のみをして、画質変換済みデータをＰＣ２Ｈへ出力する。また、ＰＣ２Ｈは、画質変換済みデータに対して、通常補正処理のうち通常画質変換処理以外の処理をして通常中間データを生成するとともに、高品質補正処理のうち高品質画質変換処理以外の処理をして高品質中間データを生成する。
このことにより、ＰＣ２Ｈにて、通常中間データを生成する際に、通常画質変換処理を実施する必要がなくなり、ＰＣ２Ｈの処理負荷を低減できる。
【０１７１】
［第９実施形態］
次に、本発明の第９実施形態を図面に基づいて説明する。
【０１７２】
〔プロジェクションシステムの構成〕
図１は、第９実施形態に係るプロジェクションシステム１Ｋの外観図である。
このプロジェクションシステム１Ｋは、ＰＣ２Ｋ（画像処理装置）と、プロジェクタ３Ｋと、データ伝送手段４Ａと、を備えている。
【０１７３】
〔ＰＣの構成〕
図２７は、ＰＣ２Ｋの概略構成を示すブロック図である。
ＰＣ２Ｋは、制御装置２５ＫのＰＣ補正パラメータ記憶部２５３Ｋ（処理装置補正用データ記憶部）と、パラメータ保存処理部２５４Ｋと、ＰＣ画像処理部２５６Ｋと、高品質色補正パラメータ生成部２５７（一部補正用データ生成部）と、が第１〜８実施形態と異なっている。ＰＣ画像処理部２５６Ｋは、ＰＣ補正処理部２５６Ｋ２（第１，２処理装置補正部）の色補正部２５６Ｋ２３と、エンコーダ２５６Ｋ４と、が第１〜８実施形態と異なっている。なお、この第９実施形態では、第２ＰＣコネクタ２４のデータ送信部２４２が、本発明の一部補正用データ送信部としても機能する。
【０１７４】
ＰＣ補正パラメータ記憶部２５３Ｋは、ＰＪパラメータ２５３Ｋ１と、高品質パラメータ２５３Ａ２（本来表示補正用データ）と、を記憶している。ＰＪパラメータ２５３Ｋ１には、第１実施形態のＰＪパラメータ２５３Ａ１から、色補正処理のパラメータを除いた各パラメータが記録されている。
パラメータ保存処理部２５４Ｋは、プロジェクタ３Ｋから出力用パラメータを取得して、ＰＪパラメータ２５３Ｋ１としてＰＣ補正パラメータ記憶部２５３Ｋに保存する。
高品質色補正パラメータ生成部２５７は、高品質パラメータ２５３Ａ２から、色補正処理のパラメータを取得して高品質色補正パラメータ（一部補正用データ）を生成して、ＰＣ画像処理部２５６Ｋへ出力する。
【０１７５】
色補正部２５６Ｋ２３は、画質変換部２５６Ａ２２から高品質画質変換処理が実施された画像データを取得すると、高品質色補正処理を実施して、高品質中間データとして保存する。また、色補正部２５６Ｋ２３は、画質変換部２５６Ａ２２から通常画質変換処理が実施された画像データを取得すると、高品質色補正処理を実施して、通常中間データとして保存する。ここで、この第９実施形態では、画像解析処理、高品質画質変換処理および高品質色補正処理が、本発明の本来表示対応補正処理に対応し、通常画質変換処理および高品質色補正処理が、本発明のプロジェクタ補正処理に対応する。
差分データ生成部２５６Ａ３は、高品質中間データおよび通常中間データの差分を求め、第９差分データを生成してエンコーダ２５６Ｋ４へ出力する。この第９差分データは、通常画質変換処理および高品質色補正処理が実施された画像データを、高品質画質変換処理および高品質色補正処理が実施された状態に補正するためのデータとなる。
エンコーダ２５６Ｋ４は、差分データ生成部２５６Ａ３にて生成された第９差分データと、高品質色補正パラメータ生成部２５７からの高品質色補正パラメータと、を符号化して、補正用データケーブル４２を介して、プロジェクタ３Ｋへ送信する。
【０１７６】
〔プロジェクタの構成〕
図２８は、プロジェクタ３Ｋの概略構成を示すブロック図である。
このプロジェクタ３Ｋは、制御装置３７Ｋのパラメータ出力処理部３７２Ｋ（プロジェクタ補正用データ取得部）と、ＰＪ画像処理部３７３Ｋと、パラメータ書換処理部３７８（一部補正用データ記憶処理部）と、が第１〜８実施形態と異なっている。また、ＰＪ画像処理部３７３Ｋは、デコーダ３７３Ｋ１と、ＰＪ補正処理部３７３Ｋ２の色補正部３７３Ｋ２２（プロジェクタ補正部）、差分補正部３７３Ｋ２３、および、むら補正部３７３Ｋ２４と、が第１〜８実施形態と異なっている。
【０１７７】
パラメータ出力処理部３７２Ｋは、パラメータ要求信号を取得すると、ＰＪパラメータ２５３Ｋ１として出力する各パラメータを出力用パラメータとして読み出して、ＰＣ２Ｋへ送信する。
パラメータ書換処理部３７８は、後述するデコーダ３７３Ｋ１から高品質色補正パラメータを取得すると、ＰＪ補正パラメータ記憶部３７１Ａの内部処理用パラメータ３７１Ａ１を書き換える処理をする。具体的には、内部処理用パラメータ３７１Ａ１の色変換処理、γ補正処理、ＶＴ−γ補正処理、白黒伸張補正処理のパラメータを、高品質色補正パラメータに書き換える。
デコーダ３７３Ｋ１は、ＰＣ２Ｋから送信された第９差分データおよび高品質色補正パラメータを取得して、これらを復号する。そして、第９差分データをＰＪ補正処理部３７３Ｋ２へ、高品質色補正パラメータをパラメータ書換処理部３７８へ、それぞれ出力する。
【０１７８】
色補正部３７３Ｋ２２は、画質変換部３７３Ａ２１から通常画質変換処理が実施された画像データを取得すると、内部処理用パラメータ３７１Ａ１の高品質色補正パラメータに基づく高品質色補正処理を実施して、差分対応ＰＪ補正処理部３７３Ｋ２３へ出力する。
差分補正部３７３Ｋ２３は、色補正部３７３Ｋ２２から高品質色補正処理が実施された画像データを取得するとともに、デコーダ３７３Ｋ１から第９差分データを取得すると、第９差分データに基づく差分補正処理を実施して、むら補正部３７３Ｋ２４へ出力する。この第９差分データに基づく差分補正処理により、画像データの各画素の色調が、通常画質変換処理および高品質補正処理が実施された状態から、高品質画質変換処理および高品質色補正処理が実施された状態に補正される。
むら補正部３７３Ｋ２４は、差分補正部３７３Ｋ２３から差分補正処理が実施された画像データを取得すると、通常むら補正処理を実施して、第９高品質画像データとして表示駆動制御部３７４へ出力する。
表示駆動制御部３７４は、ＰＪ画像処理部３７３Ｋから第９高品質画像データを取得すると、第９高品質画像データに基づく第９高品質画像を表示させるための制御信号を出力する。
【０１７９】
〔プロジェクションシステムの動作〕
上述したプロジェクションシステム１Ｋの動作として、高品質表示処理について説明する。図２９は、高品質表示処理を示すフローチャートである。
【０１８０】
まず、ＰＣ２Ｋは、図２９に示すように、上述したステップＳ１０１〜Ｓ１０７の処理を実施すると、通常画質変換処理が実施された画像データに対して高品質補正処理（ステップＳ９０１：第１処理装置補正ステップ）を実施して、通常中間データとして保存する（ステップＳ９０２）。この後、ＰＣ２Ｋは、差分演算処理（ステップＳ９０３）を実施して、第９差分データの生成処理（ステップＳ９０４：差分データ生成ステップ）、高品質色補正パラメータ、画像データ、および、第９差分データのプロジェクタ３Ｋへの送信処理（ステップＳ９０５：差分データ送信ステップ）を実施する。
プロジェクタ３Ｋは、高品質色補正パラメータ、画像データ、および、第９差分データを受信すると（ステップＳ９０６）、高品質色補正パラメータに基づいて、内部処理用パラメータ３７１Ａ１を書き換える（ステップＳ９０７）。この後、ステップＳ１１４の処理を実施して、高品質色補正処理（ステップＳ９０８）を実施する。そして、プロジェクタ３Ｋは、第９差分データに基づく差分補正処理（ステップＳ９０９）、ステップＳ１１７の処理を実施して、第９高品質画像を表示させる（ステップＳ９１０）。
【０１８１】
〔第９実施形態の作用効果〕
上述したような第９実施形態では、第１実施形態の（１）〜（４）と同様の作用効果に加え、以下のような作用効果を奏することができる。
【０１８２】
（１４）ＰＣ２Ｋは、高品質パラメータ２５３Ａ２から色補正処理のパラメータを取得して、高品質色補正パラメータとしてプロジェクタ３Ｋへ出力する。また、ＰＣ２Ｋは、画像データに対して、通常画質変換処理および高品質色補正処理を実施して、通常中間データを生成する。一方、プロジェクタ３Ｋは、高品質色補正パラメータに基づき内部処理用パラメータ３７１Ａ１を書き換える。そして、画像データに対して、通常画質変換処理および高品質色補正パラメータに基づく高品質色補正処理を実施して、差分補正対応補正処理を実施する。
このことにより、ＰＣ２Ｋは、高品質補正処理のうち高品質色補正処理のみをした通常中間データと、高品質色補正処理の全てをした高品質中間データと、の差分を算出することとなり、高品質色補正処理を全くしていない通常中間データとの差分を算出する構成と比べて、差分を少なくすることができる。このため、差分データのビット数を低減することができ、データ送受信の低速化をより抑制できる。
【０１８３】
［実施形態の変形］
なお、本発明は、上述した一実施の形態に限定されるものではなく、本発明の目的を達成できる範囲で以下に示される変形をも含むものである。
【０１８４】
第１実施形態において、ＰＪパラメータ２５３Ａ１を記録したメモリカードやＣＤ−ＲＯＭをＰＣ２Ａに挿入して、ＰＣ補正パラメータ記憶部２５３Ａにインストールしてもよい。
また、第１実施形態において、ＰＣ２Ａにて、第１差分データを符号化しないでプロジェクタ３Ａへ送信してもよい。
さらに、第１実施形態におけるＰＣ補正処理部２５６Ａ２、ＰＪ補正処理部３７３Ａ２にて実施する補正処理としては、上述した処理以外の処理をさらに適用してもよいし、上述した処理のうち少なくともいずれか１つを実施しなくてもよい。
また、第１実施形態において、ＰＪ補正パラメータ記憶部３７１Ａに、内部処理用パラメータ３７１Ａ１とは別に出力用パラメータを記憶させ、この出力用パラメータを読み出して、ＰＣ２Ａへ送信する構成としてもよい。
さらに、第１実施形態において、高品質中間データを通常中間データよりも先に生成したが、通常中間データを高品質中間データよりも先に生成してもよい。
また、通常中間データおよび高品質中間データを並列処理で生成してもよい。つまり、図５におけるステップＳ１０４〜Ｓ１０６の処理と、ステップＳ１０７〜Ｓ１０９の処理を並列的に実施してもよい。
そして、これらの変形を対応する各実施形態に適用してもよい。
【０１８５】
第６実施形態において、４色以上の光源とその光源色に対応する複数の透過型光変調素子（透過型液晶素子）や、反射型光変調素子（反射型液晶素子）を用いる光学系を適用してもよい。
【０１８６】
第７実施形態において、ＰＣ２Ｇおよび画像再生装置５Ｇを接続するケーブルと、ＰＣ２Ｇおよびプロジェクタ３Ｇを接続するケーブルと、を設け、プロジェクタ３Ｇにて、ＰＣ２Ｇから画像データを取得して処理する構成としてもよい。このような構成にすれば、分配器４３を設ける必要がなくなりプロジェクションシステム１Ｇの構成を簡略にできる。
【０１８７】
本発明を実施するための最良の構成などは、以上の記載で開示されているが、本発明は、これに限定されるものではない。すなわち、本発明は、主に特定の実施形態に関して特に図示され、かつ、説明されているが、本発明の技術的思想および目的の範囲から逸脱することなく、以上述べた実施形態に対し、数量、その他の詳細な構成において、当業者が様々な変形を加えることができるものである。
【産業上の利用可能性】
【０１８８】
本発明は、プロジェクションシステムに利用することができる。
【図面の簡単な説明】
【０１８９】
【図１】本発明の第１〜６，９実施形態に係るプロジェクションシステムの外観図である。
【図２】前記第１実施形態におけるＰＣの概略構成を示すブロック図である。
【図３】前記第１実施形態におけるプロジェクタの概略構成を示すブロック図である。
【図４】前記第１〜４，９実施形態および本発明の第７，８実施形態に係るプロジェクタの画像投射部の概略構成を示す模式図である。
【図５】前記第１実施形態における高品質表示処理を示すフローチャートである。
【図６】前記第２〜４実施形態におけるＰＣの概略構成を示すブロック図である。
【図７】前記第２実施形態におけるプロジェクタの概略構成を示すブロック図である。
【図８】前記第２実施形態における高品質表示処理を示すフローチャートである。
【図９】前記第３実施形態におけるプロジェクタの概略構成を示すブロック図である。
【図１０】前記第３実施形態における高品質表示処理を示すフローチャートである。
【図１１】前記第４実施形態におけるプロジェクタの概略構成を示すブロック図である。
【図１２】前記第４実施形態における高品質表示処理を示すフローチャートである。
【図１３】前記第５実施形態におけるＰＣの概略構成を示すブロック図である。
【図１４】前記第５実施形態におけるプロジェクタの概略構成を示すブロック図である。
【図１５】前記第５実施形態におけるプロジェクタの画像投射部の概略構成を示す模式図である。
【図１６】前記第５実施形態における高品質表示処理を示すフローチャートである。
【図１７】前記第６実施形態におけるプロジェクタの概略構成を示すブロック図である。
【図１８】前記第６実施形態におけるプロジェクタの画像投射部の概略構成を示す模式図である。
【図１９】前記第７実施形態におけるプロジェクションシステムの外観図である。
【図２０】前記第７実施形態におけるＰＣの概略構成を示すブロック図である。
【図２１】前記第７実施形態におけるプロジェクタの概略構成を示すブロック図である。
【図２２】前記第７実施形態における高品質表示処理を示すフローチャートである。
【図２３】前記第８実施形態におけるプロジェクションシステムの外観図である。
【図２４】前記第８実施形態におけるＰＣの概略構成を示すブロック図である。
【図２５】前記第８実施形態におけるプロジェクタの概略構成を示すブロック図である。
【図２６】前記第８実施形態における高品質表示処理を示すフローチャートである。
【図２７】前記第９実施形態におけるＰＣの概略構成を示すブロック図である。
【図２８】前記第９実施形態におけるプロジェクタの概略構成を示すブロック図である。
【図２９】前記第９実施形態における高品質表示処理を示すフローチャートである。
【符号の説明】
【０１９０】
１Ａ〜１Ｈ，１Ｋ…プロジェクションシステム、２Ａ〜２Ｅ，２Ｇ，２Ｈ，２Ｋ…ＰＣ（画像処理装置）、３Ａ〜３Ｈ，３Ｋ…プロジェクタ、５Ｇ…画像再生装置、４１…画像データケーブル（画像データ伝送手段）、４１Ａ…第１画像データケーブル（第１，２画像データ伝送手段）、４１Ｂ…第２画像データケーブル（第１画像データ伝送手段）、４１Ｃ…第３画像データケーブル（第２画像データ伝送手段）、４１Ｄ…第１画像データケーブル（第１画像データ伝送手段）、４１Ｅ…第２画像データケーブル（第２画像データ伝送手段）、４２…補正用データケーブル（デジタル通信手段）、４３…分配器（第１，２画像データ伝送手段）、２３１…データ送信部（画像データ送信部）、２４２…データ送信部（差分データ送信部、光量データ送信部、一部補正用データ送信部）、２５２…補助メモリ（処理装置画像データ記憶部）、２５３Ｋ…ＰＣ補正パラメータ記憶部（処理装置補正用データ記憶部）、２５３Ａ２…高品質パラメータ（本来表示補正用データ）、２５６Ａ１…画像データ復号部（画像データ取得部）、２５６Ａ２，２５６Ｂ２，２５６Ｃ２，２５６Ｄ２，２５６Ｅ２，２５６Ｈ２，２５６Ｋ２…ＰＣ補正処理部（第１，２処理装置補正部）、２５６Ａ３…差分データ生成部、２５６Ｅ２２…高品質光量補正データ生成部（光量データ生成部）、２５７…高品質色補正パラメータ生成部（一部補正用データ生成部）、３１３…データ送信部（一部補正済み画像データ送信部）、３２２…データ送信部（プロジェクタ補正用データ送信部）、３３１，３５１…光源部（光源装置）、３４４…赤色用液晶ライトバルブ（光変調素子）、３４５…緑色用液晶ライトバルブ（光変調素子）、３４６…青色用液晶ライトバルブ（光変調素子）、３４８，３５５…投射光学系（投射光学装置）、３５２…赤色固体光源（特定色光源部、赤色光源部）、３５３…緑色固体光源（特定色光源部、緑色光源部）、３５４…青色固体光源（特定色光源部、青色光源部）、３７１Ａ，３７１Ｄ…ＰＪ補正パラメータ記憶部（プロジェクタ補正用データ記憶部）、３７１Ａ１，３７１Ｄ１…内部処理用パラメータ（プロジェクタ補正用データ）、３７２Ａ，３７２Ｂ，３７２Ｄ，３７２Ｈ，３７２Ｋ…パラメータ出力処理部（プロジェクタ補正用データ取得部）、３７３Ａ２３，３７３Ｂ２４，３７３Ｃ２３，３７３Ｄ２２，３７３Ｅ２４，３７３Ｈ３４，３７３Ｋ２３…差分補正部、３７３Ａ２１，３７３Ｄ２１，３７３Ｅ２１，３７３Ｇ３１，３７３Ｈ３１…画質変換部（プロジェクタ補正部）、３７３Ａ２２，３７３Ｂ２２，３７３Ｃ２２，３７３Ｅ２３，３７３Ｋ２２…色補正部（プロジェクタ補正部）、３７３Ｂ２３，３７３Ｈ３３…むら補正部（プロジェクタ補正部）、３７３Ｈ３１…画質変換部（一部補正済み画像データ生成部、プロジェクタ補正部）、３７４…表示駆動制御部（表示制御部）、３７５…絞り機構制御部（光量調整部）、３７６…固体光源制御部（光量調整部）、３７８…パラメータ書換処理部（一部補正用データ記憶処理部）、Ｓ１０３〜Ｓ１０５，Ｓ２０１，Ｓ５０２，Ｓ８０４，Ｓ８０５…第２処理装置補正ステップ、Ｓ１０７，Ｓ１０８，Ｓ２０３，Ｓ５０４，Ｓ９０１…第１処理装置補正ステップ、Ｓ１１１，Ｓ２０６，Ｓ３０２，Ｓ４０３，Ｓ５０７，Ｓ８０９，Ｓ９０４…差分データ生成ステップ、Ｓ１１２，Ｓ２０７，Ｓ３０３，Ｓ４０４，Ｓ５０８，Ｓ８１０，Ｓ９０５…差分データ生成ステップ
【図１】
0004635892.tif 000002
【図２】
0004635892.tif 000003
【図３】
0004635892.tif 000004
【図４】
0004635892.tif 000005
【図５】
0004635892.tif 000006
【図６】
0004635892.tif 000007
【図７】
0004635892.tif 000008
【図８】
0004635892.tif 000009
【図９】
0004635892.tif 000010
【図１０】
0004635892.tif 000011
【図１１】
0004635892.tif 000012
【図１２】
0004635892.tif 000013
【図１３】
0004635892.tif 000014
【図１４】
0004635892.tif 000015
【図１５】
0004635892.tif 000016
【図１６】
0004635892.tif 000017
【図１７】
0004635892.tif 000018
【図１８】
0004635892.tif 000019
【図１９】
0004635892.tif 000020
【図２０】
0004635892.tif 000021
【図２１】
0004635892.tif 000022
【図２２】
0004635892.tif 000023
【図２３】
0004635892.tif 000024
【図２４】
0004635892.tif 000025
【図２５】
0004635892.tif 000026
【図２６】
0004635892.tif 000027
【図２７】
0004635892.tif 000028
【図２８】
0004635892.tif 000029
【図２９】
0004635892.tif 000030